(57)【要約】【課題】薬剤トレイの各セルに投入すべき薬剤の種類と量を分かりやすく指示する薬剤手撒き装置を提供する。【解決手段】薬剤手撒き装置１００は、複数のセル４１の各々に対応して設けられて複数色を切り替え表示可能な発光部４２を備える。モニタ１１に表示される作業支援画面は、複数のセル４１を、セル配置に対応して表示したセルイメージ１１１を含む。制御部１１は、セルイメージ１１１において、薬剤を投入すべきセルを、当該薬剤の服用時期毎に互いに異なる色に対応づけて表示すると共に、当該セルに投入すべき錠数を表示する。制御部１１は、手撒きする薬剤の外観画像を作業支援画面に表示する。制御部１１は、前記所定の薬剤を投入すべきセルに対応する発光部４２が、作業支援画面のセルイメージ１１１において当該セルに対応づけられた色と同じ色を表示するように発光部４２を制御する。【選択図】図２
2018143769.tif 000002
【特許請求の範囲】
【請求項１】
複数のセルに区切られ、前記複数のセルの各々に薬剤が投入されるトレイと、
前記複数のセルの各々に対応して設けられて複数色を切り替え表示可能な発光部と、
処方データに基づいて作業支援画面を表示するモニタと、
前記モニタおよび前記発光部を制御する制御部とを備え、
前記作業支援画面は、前記トレイの前記複数のセルをセル配置に対応して模式的に表したセルイメージを表示するセルイメージ領域と、薬剤の外観画像を表示する薬剤画像領域とを含み、
前記制御部は、前記処方データに基づいて、前記セルイメージにおいて、前記複数のセルのうち所定の薬剤を投入すべきセルを、当該薬剤の服用時期毎に互いに異なる色に対応づけて表示すると共に、当該セルに投入すべき錠数を表示し、
前記制御部は、前記処方データに基づいて、前記トレイに投入すべき薬剤の外観画像を前記薬剤画像領域に表示し、
前記制御部は、前記トレイにおいて前記所定の薬剤を投入すべきセルに対応する発光部が、前記作業支援画面の前記セルイメージにおいて当該セルに対応づけられた色と同じ色を表示するように前記発光部を制御する、薬剤手撒き装置。
【請求項２】
前記作業支援画面が、前記処方データに含まれる薬剤のリストをさらに含み、
前記制御部の制御により、前記薬剤のリストにおいて、各薬剤の服用時期毎の錠数が、前記セルイメージにおいて当該服用時期に対応づけられた色と同じ色を付して表示される、請求項１に記載の薬剤手撒き装置。
【請求項３】
前記作業支援画面が、前記薬剤のリスト上のいずれかの薬剤が選択された場合、選択された薬剤の服用時期毎の錠数を、前記セルイメージにおいて当該服用時期に対応づけられた色と同じ色を付して表示する用量表示領域をさらに含む、請求項２に記載の薬剤手撒き装置。
【請求項４】
前記作業支援画面において、前記薬剤のリスト上で一の薬剤が選択された状態から、他の薬剤が選択された場合、前記制御部が、前記薬剤のリスト上で前記一の薬剤に関する表示態様を、未選択の薬剤の表示態様とは異なる態様に切り替える、請求項２または３に記載の薬剤手撒き装置。
【請求項５】
前記作業支援画面が、前記トレイの複数のセルの各々に投入すべき錠剤の種類と数とを服用時期毎に画像で表示する分包イメージ領域をさらに含む、請求項１〜４のいずれか一項に記載の薬剤手撒き装置。
【請求項６】
前記分包イメージ領域において服用時期のいずれかが選択されると、前記制御部が、前記作業支援画面の前記セルイメージにおいて、前記複数のセルのうち、選択された服用時期に対応するセルを他の服用時期に対応するセルとは区別可能に表示する、請求項５に記載の薬剤手撒き装置。
【請求項７】
前記分包イメージ領域において服用時期のいずれかが選択されると、前記制御部が、前記作業支援画面の前記セルイメージにおいて、前記複数のセルのうち、選択された服用時期に対応するセルに、当該服用時期について処方された薬剤の錠数の総数を表示する、請求項５または６に記載の薬剤手撒き装置。
【請求項８】
前記分包イメージ領域において服用時期のいずれかが選択されると、
当該服用時期について処方された薬剤のいずれかが選択されていない場合は、前記制御部が、前記作業支援画面の前記セルイメージにおいて、前記複数のセルのうち、選択された服用時期に対応するセルに、当該服用時期について処方された薬剤の錠数の総数を表示し、
当該服用時期について処方された薬剤のいずれかが選択された場合は、前記制御部が、前記作業支援画面の前記セルイメージにおいて、前記複数のセルのうち、選択された服用時期に対応するセルに、前記選択された薬剤の錠数を表示する、請求項７に記載の薬剤手撒き装置。
【請求項９】
前記複数のセルのそれぞれに対応して設けられた待機セルと、
前記複数のセルと前記待機セルとの間の開口部の開閉を制御する開閉制御部とをさらに備え、
前記開閉制御部は、一の薬剤についての手撒き作業が終了した後、次の薬剤が選択されたときに、前記開口部を開ける制御を行う、請求項１〜８のいずれか一項に記載の薬剤手撒き装置。
【請求項１０】
前記複数のセルのそれぞれに対応して設けられた待機セルと、
前記複数のセルと前記待機セルとの間の開口部の開閉を制御する開閉制御部とをさらに備え、
少なくとも一の薬剤についての手撒き作業が終了した後、前記開閉制御部が前記開口部を開ける制御を行うと、前記制御部は、前記分包イメージ領域において、前記少なくとも一の薬剤に対応する画像は表示しない、請求項５に記載の薬剤手撒き装置。
【請求項１１】
前記複数のセルの各々に投入された薬剤を個別の薬包に分包する分包ユニットをさらに備え、
作成すべき薬包の数が、前記トレイの複数のセルの数よりも多い場合、前記制御部は、前記処方データに基づいて前記作業支援画面を複数作成し、
前記制御部は、前記複数の作業支援画面のうち、一の作業支援画面から次の作業支援画面への切り替えを、当該一の作業支援画面が表示されてから、前記分包ユニットによる分包処理を開始するための指示を受け付けた後に可能とする、請求項１〜１０のいずれか一項に記載の薬剤手撒き装置。
【請求項１２】
各服用日の同じ服用時期の薬包が連続するように薬包シートを形成する連続モードと、１日分の薬包が服用時期の順に並ぶように薬包シートが形成される反復モードとのいずれかを選択させる選択手段をさらに備え、
前記制御部は、前記処方データに基づいて、前記セルイメージにおいて、前記連続モードが選択された場合は同一服用時期のセルが処方日数分連続して割り当てられるように、前記反復モードが選択された場合は１日分の服用時期が処方日数分繰り返して割り当てられるように、前記複数のセルのうち所定の薬剤を投入すべきセル内に、当該セルに投入すべき錠数を表示する、請求項１〜１１のいずれか一項に記載の薬剤手撒き装置。
【請求項１３】
前記制御部は、前記処方データに基づいて、前記トレイに投入すべき薬剤の外形寸法を、前記外観画像と共に前記薬剤画像領域に表示する、請求項１〜１２のいずれか一項に記載の薬剤手撒き装置。
【請求項１４】
薬剤の容器または包装から当該薬剤を識別するコードを取得するコード取得手段をさらに備え、
前記制御部は、前記コード取得手段によって薬剤の容器または包装からコードが取得されると、取得されたコードに基づいて、前記薬剤が前記処方データに含まれる薬剤のいずれかに合致するか否かを判定する照合処理を行い、
前記制御部は、前記処方データに含まれる薬剤のうち手撒きの対象とされる薬剤のすべてについて前記照合処理が完了していなければ、手撒き処理の後続処理を開始可能としない、請求項１〜１３に記載の薬剤手撒き装置。
【請求項１５】
薬剤の容器または包装から当該薬剤を識別するコードを取得するコード取得手段をさらに備え、
前記制御部は、前記コード取得手段によって薬剤の容器または包装からコードが取得されると、取得されたコードに基づいて、前記薬剤が前記処方データに含まれる薬剤のいずれかに合致するか否かを判定する照合処理を行い、
前記制御部は、前記処方データに含まれる薬剤のうち手撒きの対象とされる薬剤のすべてについて、前記照合処理が完了するか、または、所定の手順にしたがって前記照合処理がスキップされたことが登録されていなければ、手撒き処理の後続処理を開始可能としない、請求項１〜１３に記載の薬剤手撒き装置。
【請求項１６】
複数のセルに区切られ、前記複数のセルの各々に薬剤が投入されるトレイと、前記複数のセルの各々に対応して設けられて複数色を切り替え表示可能な発光部とを備えた薬剤手撒き装置の使用に際して、前記トレイへの薬剤の投入作業を支援するための支援プログラムであって、
コンピュータに、
処方データに基づいて、前記トレイの前記複数のセルをセル配置に対応して模式的に表示したセルイメージにおいて、前記複数のセルのうち所定の薬剤を投入すべきセルを、当該薬剤の服用時期毎に互いに異なる色に対応づけて表示すると共に、当該セルに投入すべき錠数をモニタに表示させる処理と、
前記処方データに基づいて、前記トレイに投入すべき薬剤の外観画像を前記モニタに表示させる処理と、
前記トレイにおいて前記所定の薬剤を投入すべきセルに対応する発光部が、前記作業支援画面の前記セルイメージにおいて当該セルに対応づけられた色と同じ色を表示するように、前記発光部を制御する処理とを実行させる命令を含む、支援プログラム。
【請求項１７】
請求項１６に記載の支援プログラムを記憶した、コンピュータ読み取り可能な記録媒体。
【発明の詳細な説明】
【技術分野】
【０００１】
本発明は、薬剤を手撒きする装置に関し、特に、手撒きでの作業を支援する機能を備えた薬剤手撒き装置と、この装置を使用する際の支援プログラムと、この支援プログラムを記録した記録媒体とに関する。
【背景技術】
【０００２】
従来、処方された薬剤を１回の服用分ずつ個別包装（分包）することができる薬剤分包装置が知られている。薬剤分包装置によれば、例えば、起床時、朝食後、昼食後、夕食後、または寝る前、等の服薬タイミングに分けて、処方にしたがって必要な薬剤のみが分包される。また、個々の包装材に患者氏名や服薬タイミングを印刷することもできる。これにより、薬の飲み忘れや飲み間違いを防止できるという利点がある。
【０００３】
従来の薬剤分包装置には、粉末状、粒状、またはカプセル状等の固形薬剤を自動的に分包する仕組みの他に、手撒きでの作業が行える仕組みを備えたものもある。例えば、下記特許文献１には、マトリクス状に配置された複数のセルに投入された薬剤を、セル単位で払い出すことが可能な手撒きユニットを備えた装置が開示されている。
【先行技術文献】
【特許文献】
【０００４】
【特許文献１】特開２０１１−１０４０７７号公報
【発明の概要】
【発明が解決しようとする課題】
【０００５】
上述したような手撒きユニットを備えた薬剤手撒き装置においては、薬剤師が手撒きを行う際に、人為的ミスを防ぐために、手撒きユニットのそれぞれのセルに投入すべき薬剤の種類や量を分かりやすく指示する機能を備えることが望ましい。
【０００６】
上記の要求を鑑み、本発明は、手撒き作業における人為的ミスを未然に防ぐために、手撒き作業を支援する機能を備えた薬剤手撒き装置を提供することを目的とする。
【課題を解決するための手段】
【０００７】
上記の目的を達成するために、以下に開示する薬剤手撒き装置は、
複数のセルに区切られ、前記複数のセルの各々に薬剤が投入されるトレイを備えた薬剤手撒き装置であって、
前記トレイは、前記複数のセルの各々に対応して設けられて複数色を切り替え表示可能な発光部を備え、
前記薬剤手撒き装置は、処方データに基づいて作業支援画面を表示するモニタと、前記モニタおよび前記発光部を制御する制御部とをさらに備え、
前記作業支援画面は、前記トレイの前記複数のセルをセル配置に対応して模式的に表したセルイメージを表示するセルイメージ領域と、薬剤の外観画像を表示する薬剤画像領域とを含み、
前記制御部は、前記処方データに基づいて、前記セルイメージにおいて、前記複数のセルのうち所定の薬剤を投入すべきセルを、当該薬剤の服用時期毎に互いに異なる色に対応づけて表示すると共に、当該セルに投入すべき錠数を表示し、
前記制御部は、前記処方データに基づいて、前記トレイに投入すべき薬剤の外観画像を前記薬剤画像領域に表示し、
前記制御部は、前記トレイにおいて前記所定の薬剤を投入すべきセルに対応する発光部が、前記作業支援画面の前記セルイメージにおいて当該セルに対応づけられた色と同じ色を表示するように前記発光部を制御する。
【発明の効果】
【０００８】
上記の構成によれば、薬剤トレイのそれぞれのセルに投入すべき薬剤の種類や量を分かりやすく指示することができ、手撒き作業における人為的ミスを未然に防ぐことに寄与する薬剤手撒き装置を提供することができる。
【図面の簡単な説明】
【０００９】
【図１】図１は、第１の実施形態にかかる薬剤手撒き装置の外観図である。
【図２】図２は、薬剤手撒き装置の機能的な概略構成を示すブロック図である。
【図３】図３は、手撒きユニットが備える薬剤トレイの外観を示す斜視図である。
【図４】図４は、分包ユニットから排出される薬包シートの一例を示す図である。
【図５】図５は、処方データの一例を示す図である。
【図６】図６は、手撒き作業の開始時に、処方制御ユニットのモニタに表示される手撒き作業支援画面の初期画面を示す図である。
【図７】図７は、第１の実施形態にかかる手撒き作業支援画面の選択薬剤対応画面の一例を示す図である。
【図８】図８は、第１の実施形態にかかる手撒き作業支援画面の選択薬剤対応画面の他の例を示す図である。
【図９】２サイクル目の手撒き作業において表示される手撒き作業支援画面（選択薬剤対応画面）の一例を示す図である。
【図１０】図１０は、薬剤分包処理の主要な動作の流れを示すフローチャートである。
【図１１】図１１は、「反復」処理が選択されている場合の選択薬剤対応画面の一例を示す図である。
【図１２】図１２は、第２の実施形態にかかる手撒き作業支援画面の初期画面の一例を示す図である。
【図１３】図１３は、第２の実施形態にかかる手撒き作業支援画面の選択薬剤対応画面の一例を示す図である。
【図１４】図１４は、第２の実施形態にかかる手撒き作業支援画面の服用時期対応画面の一例を示す図である。
【図１５】図１５は、前記服用時期対応画面においていずれかの薬剤が選択された場合の表示の一例を示す図である。
【図１６】図１６は、第２の実施形態の一変形例にかかる手撒き作業支援画面の選択薬剤対応画面の一例を示す図である。
【図１７】図１７は、第２の実施形態の一変形例にかかる手撒き作業支援画面の選択薬剤対応画面の一例を示す図である。
【図１８】図１８は、第３の実施形態にかかる薬剤分包処理の主要な動作の流れを示すフローチャートである。
【図１９】図１９は、第３の実施形態にかかる分包モニタ画面の一例を示す図である。
【図２０】図２０は、第３の実施形態にかかるＬＥＤアシスト画面の一例を示す図である。
【図２１】図２１は、第３の実施形態にかかる未照合履歴登録画面の一例を示す図である。
【発明を実施するための形態】
【００１０】
本発明の第１の構成にかかる薬剤手撒き装置は、
複数のセルに区切られ、前記複数のセルの各々に薬剤が投入されるトレイと、
前記複数のセルの各々に対応して設けられて複数色を切り替え表示可能な発光部と、
処方データに基づいて作業支援画面を表示するモニタと、
前記モニタおよび前記発光部を制御する制御部とを備え、
前記作業支援画面は、前記トレイの前記複数のセルをセル配置に対応して模式的に表したセルイメージを表示するセルイメージ領域と、薬剤の外観画像を表示する薬剤画像領域とを含み、
前記制御部は、前記処方データに基づいて、前記セルイメージにおいて、前記複数のセルのうち所定の薬剤を投入すべきセルを、当該薬剤の服用時期毎に互いに異なる色に対応づけて表示すると共に、当該セルに投入すべき錠数を表示し、
前記制御部は、前記処方データに基づいて、前記トレイに投入すべき薬剤の外観画像を前記薬剤画像領域に表示し、
前記制御部は、前記トレイにおいて前記所定の薬剤を投入すべきセルに対応する発光部が、前記作業支援画面の前記セルイメージにおいて当該セルに対応づけられた色と同じ色を表示するように前記発光部を制御する。
【００１１】
すなわち、この第１の構成は、複数のセルを有するトレイに薬剤を手撒きで投入する作業を行う際に、モニタに作業支援画面を表示する。この作業支援画面は、トレイの前記複数のセルを、セル配置に対応して模式的に表示したセルイメージを含んでいる。さらに、前記セルイメージにおいて、前記複数のセルのうち所定の薬剤を投入すべきセルが、当該薬剤の服用時期毎に互いに異なる色に対応づけて表示されると共に、当該セルに投入すべき錠数が表示される。また、トレイにおいて前記所定の薬剤を投入すべきセルに対応する発光部が、前記作業支援画面の前記セルイメージにおいて当該セルに対応づけられた色と同じ色を表示するように前記発光部が制御される。
【００１２】
これにより、薬剤師は、作業支援画面のセルイメージの色を見ながら、発光部によって同じ色で表示されているセルに対して、セルイメージに表示されている数の錠剤を投入すれば良い。したがって、薬剤師が、誤ったセルに薬剤を投入したり、投入すべき錠剤の数を誤ったりするという人為的ミスを効果的に防止することができる。
【００１３】
なお、「トレイにおいて前記所定の薬剤を投入すべきセルに対応する発光部が、前記作業支援画面の前記セルイメージにおいて当該セルに対応づけられた色と同じ色を表示する」という発明特定事項において、「同じ色」とは、色彩学的に完全に同じ色である必要はなく、人間の視覚で検知可能な範囲においてほぼ同じ色であると認識できる範囲であれば良い。
【００１４】
また、上記第１の構成においては、制御部が、処方データに基づいて、トレイに投入すべき薬剤の外観画像を、作業支援画面の薬剤画像領域に表示する。これにより、薬剤師は、手元にある薬剤と薬剤画像領域に表示された画像とを比較することにより、投入する薬剤が正しいかどうかを目視で容易に判断できる。したがって、処方とは異なる薬剤を投入するという人為的ミスを効果的に防止することができる。
【００１５】
本発明の第２の構成にかかる薬剤手撒き装置は、前記第１の構成において、
前記作業支援画面が、前記処方データに含まれる薬剤のリストをさらに含み、
前記制御部の制御により、前記薬剤のリストにおいて、各薬剤の服用時期毎の錠数が、前記セルイメージにおいて当該服用時期に対応づけられた色と同じ色を付して表示される。
【００１６】
この第２の構成によれば、処方データに含まれる薬剤のリストにおいて、それぞれの薬剤について、服用時期毎の錠数が、セルイメージでそれぞれの服用時期を表すために使用されている色と同じ色を付して表示される。これにより、薬剤師は、トレイのどのマスに錠剤を何個投入すれば良いかを、トレイの表示色とセルイメージの表示色とを参照することによって、容易に確認することができる。
【００１７】
なお、前記の「服用時期毎の錠数が、（中略）、同じ色を付して表示」とは、錠数が表示されている領域の背景色を同じ色で表示すること、錠数が表示されている領域の枠を同じ色で表示すること、錠数を表す数字を同じ色で表示すること、または、錠数が表示されている領域に同じ色のタグを付けることや、その他の任意の表示態様を含み得る。
【００１８】
本発明の第３の構成にかかる薬剤手撒き装置は、前記第２の構成において、前記作業支援画面が、前記薬剤のリスト上のいずれかの薬剤が選択された場合、選択された薬剤の服用時期毎の錠数を、前記セルイメージにおいて当該服用時期に対応づけられた色と同じ色を付して表示する用量表示領域をさらに含む。
【００１９】
この第３の構成によれば、用量表示領域において、選択された薬剤の服用時期毎の錠数が、前記セルイメージにおいて当該服用時期に対応づけられた色と同じ色を付して表示されるので、トレイのどのマスに錠剤を何個投入すれば良いかを、容易に確認することができる。
【００２０】
本発明の第４の構成にかかる薬剤手撒き装置は、前記第２または第３の構成において、前記作業支援画面において、前記薬剤のリスト上で一の薬剤が選択された状態から、他の薬剤が選択された場合、前記制御部が、前記薬剤のリスト上で前記一の薬剤に関する表示態様を、未選択の薬剤の表示態様とは異なる態様に切り替える。
【００２１】
この第４の構成によれば、薬剤のリストにおいて、手撒き作業が完了した薬剤と、未完了の薬剤とが区別でき、薬剤師が作業の進捗状況を容易に確認できるという利点がある。
【００２２】
本発明の第５の構成にかかる薬剤手撒き装置は、前記第１〜第４のいずれかの構成において、前記作業支援画面が、前記トレイの複数のセルの各々に投入すべき錠剤の種類と数とを服用時期毎に画像で表示する分包イメージ領域をさらに含む。この「分包イメージ」とは、各セルに投入される１服用時期分（すなわち分包１つ分）の手撒き薬剤の画像であるが、手撒き薬剤の他に、錠剤カセット等より薬剤が追加されてから、分包されることがある。したがって、分包イメージ領域に表示される手撒き薬剤と、実際に分包される薬剤とは、必ずしも一致しない。
【００２３】
この第５の構成によれば、作業支援画面の分包イメージ領域に、トレイの複数のセルの各々に投入されるべき錠剤の種類と数が、服用時期毎に画像で表示される。これにより、手撒き作業完了後の鑑査時に、分包イメージ領域に表示されている錠数とトレイのセル内の錠数とを比較することにより、鑑査を容易に行うことができるという利点がある。なお、この画像は、イラスト画像および写真画像のいずれであっても良い。
【００２４】
本発明の第６の構成にかかる薬剤手撒き装置は、前記第５の構成において、前記分包イメージ領域において服用時期のいずれかが選択されると、前記制御部が、前記作業支援画面の前記セルイメージにおいて、前記複数のセルのうち、選択された服用時期に対応するセルを他の服用時期に対応するセルとは区別可能に表示する。
【００２５】
この第６の構成によれば、分包イメージ領域において服用時期のいずれかを選択することにより、作業支援画面の前記セルイメージにおいて、選択された服用時期に対応するセルが、他の服用時期に対応するセルとは区別可能に表示される。これにより、所望の服用時期について、投入すべき薬剤の種類と数を、目視によってより容易に確認することができる。
【００２６】
本発明の第７の構成にかかる薬剤手撒き装置は、前記第５または第６の構成において、前記分包イメージ領域において服用時期のいずれかが選択されると、前記制御部が、前記作業支援画面の前記セルイメージにおいて、前記複数のセルのうち、選択された服用時期に対応するセルに、当該服用時期について処方された薬剤の錠数の総数を表示する。
【００２７】
この第７の構成によれば、分包イメージ領域において服用時期のいずれかを選択することにより、所望の服用時期について、投入すべき薬剤の錠数の総数を、目視によってより容易に確認することができる。
【００２８】
本発明の第８の構成にかかる薬剤手撒き装置は、前記第７の構成において、
前記分包イメージ領域において服用時期のいずれかが選択されると、
当該服用時期について処方された薬剤のいずれも選択されていない場合は、前記制御部が、前記作業支援画面の前記セルイメージにおいて、前記複数のセルのうち、選択された服用時期に対応するセルに、当該服用時期について処方された薬剤の錠数の総数を表示し、
当該服用時期について処方された薬剤のいずれかが選択された場合は、前記制御部が、前記作業支援画面の前記セルイメージにおいて、前記複数のセルのうち、選択された服用時期に対応するセルに、前記選択された薬剤の錠数を表示する。
【００２９】
この第８の構成によれば、分包イメージ領域において服用時期のいずれかを選択した場合、その服用時期について処方されている薬剤のいずれも選択されていない場合は、その服用時期について投入すべき薬剤の錠数の総数を、目視によって容易に確認することができる。一方、その服用時期について処方されている薬剤のいずれかが選択された場合は、その服用時期におけるその薬剤の錠数を、目視によって容易に確認することができる。したがって、投入すべき薬剤の数を誤るという人為的なミスを、より確実に防止することができる。
【００３０】
本発明の第９の構成にかかる薬剤手撒き装置は、前記第１〜第８のいずれかの構成において、
前記複数のセルのそれぞれに対応して設けられた待機セルと、
前記複数のセルと前記待機セルとの間の開口部の開閉を制御する開閉制御部とをさらに備え、
前記開閉制御部は、一の薬剤についての手撒き作業が終了した後、次の薬剤が選択されたときに、前記開口部を開ける制御を行う。
【００３１】
この第９の構成によれば、待機セルを備えた構成において、一の薬剤についての手撒き作業が終了した後、次の薬剤が選択されたときに、開閉制御部の制御によって、手撒き用のトレイのセルから待機セルへ薬剤が排出される。したがって、一の薬剤についての手撒き作業が終了する毎に、一種類ずつ鑑査を行うことが可能となる。
【００３２】
本発明の第１０の構成にかかる薬剤手撒き装置は、前記第５の構成において、
前記複数のセルのそれぞれに対応して設けられた待機セルと、
前記複数のセルと前記待機セルとの間の開口部の開閉を制御する開閉制御部とをさらに備え、
少なくとも一の薬剤についての手撒き作業が終了した後、前記開閉制御部が前記開口部を開ける制御を行うと、前記制御部は、前記分包イメージ領域において、前記少なくとも一の薬剤に対応する画像は表示しない。
【００３３】
この第１０の構成によれば、待機セルを備えた構成において、少なくとも一の薬剤についての手撒き作業が終了した後、開閉制御部の制御によって、手撒き用のトレイのセルから待機セルへ薬剤が排出されると、それらの薬剤に対応する画像は分包イメージ領域に表示されなくなる。したがって、手撒き作業が終了した薬剤を、誤って再度手撒きしてしまうといった人為的ミスを防止することができる。
【００３４】
本発明の第１１の構成にかかる薬剤手撒き装置は、前記第１〜第１０のいずれかの構成において、
前記複数のセルの各々に投入された薬剤を個別の薬包に分包する分包ユニットをさらに備え、
作成すべき薬包の数が、前記トレイの複数のセルの数よりも多い場合、前記制御部は、前記処方データに基づいて前記作業支援画面を複数作成し、
前記制御部は、前記複数の作業支援画面のうち、一の作業支援画面から次の作業支援画面への切り替えを、当該一の作業支援画面が表示されてから、前記分包ユニットによる分包処理を開始するための指示を受け付けた後に可能とする。
【００３５】
この第１１の構成によれば、分包ユニットによる分包処理を開始するための指示がなければ、一の作業支援画面から次の作業支援画面への切り替えを行うことができない。したがって、作成すべき薬包の数が、前記トレイの複数のセルの数よりも多いため、複数サイクルで手撒き作業を行う場合に、一のサイクルの手撒き作業で薬剤が投入されたセルに対して、誤って次のサイクルの薬剤を投入してしまうという人為的ミスを防止することができる。
【００３６】
本発明の第１２の構成にかかる薬剤手撒き装置は、前記第１〜第１１のいずれかの構成において、
各服用日の同じ服用時期の薬包が連続するように薬包シートを形成する連続モードと、１日分の薬包が服用時期の順に並ぶように薬包シートが形成される反復モードとのいずれかを選択させる選択手段をさらに備え、
前記制御部は、前記処方データに基づいて、前記セルイメージにおいて、前記連続モードが選択された場合は同一服用時期のセルが処方日数分連続して割り当てられるように、前記反復モードが選択された場合は１日分の服用時期が処方日数分繰り返して割り当てられるように、前記複数のセルのうち所定の薬剤を投入すべきセル内に、当該セルに投入すべき錠数を表示する。
【００３７】
この第１２の構成によれば、各服用日の同じ服用時期の薬包が連続するように薬包シートを形成する連続モードと、１日分の薬包が服用時期の順に並ぶように薬包シートが形成される反復モードとに切り替えが可能であり、モードの選択に応じて、制御部が、複数のセルのうち所定の薬剤を投入すべきセル内に、当該セルに投入すべき錠数を表示する。これにより、連続モードと反復モードとに切り替えが可能な構成においても、薬剤師が、誤ったセルに薬剤を投入したり、投入すべき錠剤の数を誤ったりするという人為的ミスを効果的に防止することができる。
【００３８】
本発明の第１３の構成にかかる薬剤手撒き装置は、前記第１〜第１２のいずれかの構成において、前記制御部は、前記処方データに基づいて、前記トレイに投入すべき薬剤の外形寸法を、前記外観画像と共に前記薬剤画像領域に表示する。
【００３９】
この第１３の構成によれば、手撒きする薬剤の外観画像と共に、その薬剤の外形寸法が薬剤画像領域に表示されるので、外観画像だけでなく、外形寸法を確かめながら手撒き作業を行うことができる。したがって、誤った薬剤を投入してしまうといった人為的ミスをより効果的に防止することができる。
【００４０】
本発明の第１４の構成にかかる薬剤手撒き装置は、前記第１〜第１３のいずれかの構成において、薬剤の容器または包装から当該薬剤を識別するコードを取得するコード取得手段をさらに備え、
前記制御部は、前記コード取得手段によって薬剤の容器または包装からコードが取得されると、取得されたコードに基づいて、前記薬剤が前記処方データに含まれる薬剤のいずれかに合致するか否かを判定する照合処理を行い、
前記制御部は、前記処方データに含まれる薬剤のうち手撒きの対象とされる薬剤のすべてについて前記照合処理が完了していなければ、手撒き処理の後続処理を開始可能としない。
【００４１】
この第１４の構成によれば、前記処方データに含まれる薬剤のうち手撒きの対象とされる薬剤のすべてについて、保管庫からピックアップされた薬剤が処方データ中の薬剤と合致しているか否かの照合処理が完了していなければ、手撒き処理の後続処理が開始できない。これにより、調剤過誤を効果的に防止することができる。
【００４２】
本発明の第１５の構成にかかる薬剤手撒き装置は、前記第１〜第１３のいずれかの構成において、薬剤の容器または包装から当該薬剤を識別するコードを取得するコード取得手段をさらに備え、
前記制御部は、前記コード取得手段によって薬剤の容器または包装からコードが取得されると、取得されたコードに基づいて、前記薬剤が前記処方データに含まれる薬剤のいずれかに合致するか否かを判定する照合処理を行い、
前記制御部は、前記処方データに含まれる薬剤のうち手撒きの対象とされる薬剤のすべてについて、前記照合処理が完了するか、または、所定の手順にしたがって前記照合処理がスキップされたことが登録されていなければ、手撒き処理の後続処理を開始可能としない。
【００４３】
この第１５の構成によれば、前記処方データに含まれる薬剤のうち手撒きの対象とされる薬剤のすべてについて、保管庫からピックアップされた薬剤が処方データ中の薬剤と合致しているか否かの照合処理が完了しているか、または、所定の手順にしたがって前記照合処理がスキップされたことが登録されていなければ、手撒き処理の後続処理が開始できない。これにより、調剤過誤を効果的に防止することができる。
【００４４】
本発明の一実施形態にかかる支援プログラムは、
複数のセルに区切られ、前記複数のセルの各々に薬剤が投入されるトレイと、前記複数のセルの各々に対応して設けられて複数色を切り替え表示可能な発光部とを備えた薬剤手撒き装置の使用に際して、前記トレイへの薬剤の投入作業を支援するための支援プログラムであって、
コンピュータに、
処方データに基づいて、前記トレイの前記複数のセルをセル配置に対応して模式的に表示したセルイメージにおいて、前記複数のセルのうち所定の薬剤を投入すべきセルを、当該薬剤の服用時期毎に互いに異なる色に対応づけて表示すると共に、当該セルに投入すべき錠数をモニタに表示させる処理と、
前記処方データに基づいて、前記トレイに投入すべき薬剤の外観画像を前記モニタに表示させる処理と、
前記トレイにおいて前記所定の薬剤を投入すべきセルに対応する発光部が、前記作業支援画面の前記セルイメージにおいて当該セルに対応づけられた色と同じ色を表示するように、前記発光部を制御する処理とを実行させる命令を含む。
【００４５】
この支援プログラムをコンピュータで実行することにより、薬剤師は、作業支援画面のセルイメージの色を見ながら、発光部によって同じ色で表示されているセルに対して、セルイメージに表示されている数の錠剤を投入することが可能となる。したがって、薬剤師が、誤ったセルに薬剤を投入したり、投入すべき錠剤の数を誤ったりするという人為的ミスを効果的に防止することができる。
【００４６】
また、処方データに基づいて、トレイに投入すべき薬剤の外観画像が、モニタに表示される。これにより、薬剤師は、手元にある薬剤とモニタに表示された画像とを比較することにより、投入する薬剤が正しいかどうかを目視で容易に判断できる。したがって、処方とは異なる薬剤を投入するという人為的ミスを効果的に防止することができる。
【００４７】
本発明は、前記の支援プログラムを記憶した、コンピュータ読み取り可能な記録媒体としても実施可能である。
【００４８】
［実施の形態］
以下、図面を参照し、本発明の実施の形態を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００４９】
［第１の実施形態］
図１は、第１の実施形態にかかる薬剤分包装置１００の外観図である。図２は、薬剤分包装置の機能的な概略構成を示すブロック図である。図１および図２に示すように、薬剤分包装置１００は、処方制御ユニット１、錠剤供給ユニット２、散薬供給ユニット３、手撒きユニット４、分包ユニット５、バーコードリーダ６（図１には図示せず）などを備えている。処方制御ユニット１、錠剤供給ユニット２、散薬供給ユニット３、手撒きユニット４、および分包ユニット５は、内部バス７によって相互に接続されている。
【００５０】
最初に、図１および図２等を参照しながら、処方制御ユニット１、錠剤供給ユニット２、散薬供給ユニット３、手撒きユニット４、分包ユニット５、およびバーコードリーダ６の構成および動作の概略について説明する。
【００５１】
［処方制御ユニット１］
処方制御ユニット１は、処方データを読み込み、操作画面を表示して操作者（薬剤師）の指示を受け付ける。すなわち、処方制御ユニット１は、薬剤分包装置１００を操作するための入出力インタフェースとして機能する。このため、処方制御ユニット１は、制御部１１、記憶部１２、モニタ１３、入力装置１４、および通信ＩＦ１５等を備える。
【００５２】
モニタ１３は任意のディスプレイで実現することができる。入力装置１４は、キーボードやタッチパネル等で実現することができる。入力装置１４は、音声入力を受け付ける構成としても良い。また、処方制御ユニット１は、スピーカを備えて音声を出力可能としても良い。処方制御ユニット１は、薬剤分包装置１００の内蔵ユニットとして構成しても良いし、パーソナルコンピュータ、タブレット端末またはＰＤＡ端末などの、薬剤分包装置１００とは別体のハードウェアとして実現しても良い。処方制御ユニット１を薬剤分包装置１００とは別体に構成する場合、処方制御ユニット１と薬剤分包装置１００との間の通信は、有線および無線のいずれであっても良い。
【００５３】
制御部１１は、ＣＰＵ、ＲＡＭ、ＲＯＭおよびＥＥＰＲＯＭ（いずれも図示せず）などを有する。制御部１１は、前記ＲＯＭ、前記ＥＥＰＲＯＭ、または記憶部１２などに予め記憶された各種のプログラムを、前記ＣＰＵによって実行する。なお、前記ＲＡＭおよび前記ＥＥＰＲＯＭは、前記ＣＰＵによって各種の処理を実行する際に、一時記憶メモリ（作業領域）として利用される。なお、制御部１１は、ＡＳＩＣまたはＤＳＰなどの集積回路であってもよい。
【００５４】
記憶部１２は、ハードディスク装置またはＳＳＤ（Ｓｏｌｉｄ  Ｓｔａｔｅ  Ｄｒｉｖｅ）などである。記憶部１２には、制御部１１のＣＰＵに後述の薬剤分包処理（図１０のフローチャート参照）を実行させるためのプログラムが予め記憶されている。
【００５５】
なお、前記プログラムは、例えばＣＤ、ＤＶＤ、または半導体メモリなどのコンピュータ読み取り可能な記録媒体に記録されており、不図示のディスクドライブなどの読取装置によって前記記録媒体から読み取られて記憶部１２にインストールされる。本発明は、前記プログラムを記録したコンピュータ読み取り可能な前記記録媒体の発明としても捉えることができる。
【００５６】
また、記憶部１２には、例えば医薬品マスタ、患者マスタ、カセットマスタ、および薬局マスタなどの各種のデータベースも記憶されている。なお、制御部１１は、例えばＣＤ、ＤＶＤ、または半導体メモリなどの記録媒体から不図示のディスクドライブなどの読取装置によって読み取られたデータに基づいて、記憶部１２に記憶されている前記各種のデータベースを更新することが可能である。また、制御部１１は、操作部１４に対するユーザー操作に応じて前記各種のデータベースの内容を変更することも可能である。
【００５７】
前記医薬品マスタには、薬ＩＤ、薬品コード、薬品名、ＪＡＮコード（またはＲＳＳコード）、薬瓶コード、区分（剤形：散薬、錠剤、水剤、外用薬など）、錠剤のサイズ（高さおよび幅）、比重、薬品種（普通薬、毒薬、麻薬、劇薬、抗精神薬、治療薬など）、配合変化、賦形薬品、注意事項などの医薬品各々に関する情報が含まれる。また、医薬品マスタには、錠剤の画像が含まれていても良い。本実施形態においては、錠剤の画像として、写真画像とイラスト画像との両方が登録されているものとするが、写真画像およびイラスト画像のいずれか一方だけであっても良い。前記患者マスタには、患者ＩＤ、氏名、性別、年齢、既往歴、処方薬履歴、家族情報、診療科、病棟、および病室などの患者に関する情報が含まれる。前記薬局マスタには、薬局名、薬剤師の氏名、薬剤師のＩＤなどの薬局に関する情報が含まれる。
【００５８】
前記カセットマスタは、後述する錠剤供給ユニット２の錠剤カセットの各々に付与されているカセット識別情報と、各カセットに収容された薬品についての薬品情報との対応関係を示す情報である。前記カセットマスタの情報は、例えば、薬剤分包装置１００の初期設定時に、操作部１４のユーザー操作に応じて制御部１１によって登録される。
【００５９】
モニタ１３には、制御部１１が処方データに基づいた制御を行うことにより、手撒き作業支援画面が表示される。手撒き作業支援画面は、薬剤師が手撒きユニット４を使用して手撒き作業を行う際に、手撒きユニット４の複数のセル（後に説明する）のうち、どのセルに対してどの薬剤を何錠投入すれば良いかを分かりやすく表示する。
【００６０】
操作部１４は、ユーザー操作を受け付けるキーボード、マウスおよびタッチパネル等の操作手段であり、ユーザー操作に対応する操作信号を制御部１１に入力する。通信ＩＦ１５は、薬剤分包装置１００を、通信網を介して外部の処方入力端末２００に接続するための通信インタフェースである。通信ＩＦ１５は、処方入力端末２００などの上位システムとの間でデータ通信を実行する。処方入力端末２００は、例えば病院および老健施設などに配置される電子カルテシステム、院内または院外の薬局に配置される調剤管理システムなどである。通信ＩＦ１５は、前記バーコードリーダ６等の各種の無線通信機器との間で無線データ通信を行う無線通信カードなどの無線通信インタフェースも備えている。
【００６１】
通信ＩＦ１５は、処方入力端末２００から処方データを取得し、取得した処方データを制御部１１に入力する。例えば、通信ＩＦ１５は、処方入力端末２００に設けられた記憶手段の所定の記憶領域に処方データが記憶されたか否かを監視しており、前記所定の記憶領域に処方データが記憶された場合に、その処方データを前記所定の記憶領域から読み出す。通信ＩＦ１５は、処方入力端末２００から送信された処方データを受信するものであってもよい。
【００６２】
［錠剤供給ユニット２］
錠剤供給ユニット２は、錠剤カセット２１・２２を収容可能に構成されている。錠剤カセット２１は、あらかじめ定められた特定種類の錠剤を１錠（単位量）ずつ必要量だけ払い出すことが可能である。錠剤カセット２２は、必要に応じて任意の錠剤を充填して用いることができる点において、特定種類の錠剤専用の錠剤カセット２１とは異なっているが、錠剤カセット２１と同様に、錠剤を１錠（単位量）ずつ必要量だけ払い出すことができる。すなわち、錠剤供給ユニット２は、錠剤を自動的または半自動的に分包するために用いられる。なお、錠剤であっても、錠剤カセット２１・２２を用いることができない薬剤、あるいは、錠剤カセット２１・２２の使用が効率的ではないまたは適さない薬剤等が、後述する手撒きユニット４を使用して分包される。
【００６３】
錠剤カセット２１・２２のそれぞれには、それぞれのカセットを識別するカセット識別情報や収容薬剤を特定する薬剤情報等を記憶するために、例えばＲＦＩＤタグ（図示せず）が付与されている。錠剤供給ユニット２には、錠剤カセット２１・２２のＲＦＩＤタグを読み取るためのタグリーダが設けられており、処方データにしたがって、錠剤カセット２１・２２から、目標の錠剤が収容されているカセットを選び出す。選び出されたカセットは、錠剤供給ユニット２内で、モータ機構等によって錠剤払出部（図示せず）まで移送され、処方データにしたがって、錠剤が必要量ずつ払い出される。なお、錠剤供給ユニット２内で錠剤カセット２１・２２を移送するための構成については、ここでは詳述しない。錠剤カセット２１・２２から払い出された錠剤は、前記の錠剤払出部から１分包分ずつ分包ユニット５へ送られて分包される。
【００６４】
なお、錠剤カセット２１・２２を錠剤払出部まで移送する代わりに、錠剤カセット２１・２２は移動せず、処方データにしたがって払い出された錠剤のみが、１回の服用分ずつ（すなわち分包単位で）、分包ユニット５へ送り出される構成としても良い。
【００６５】
［散薬供給ユニット３］
散薬供給ユニット３は、図１に示すように、散薬を投入するための二つの投入部３１・３２を備えている。薬剤師が処方散薬の総量を計量して、投入部３１・３２から投入すると、散薬供給ユニット３が、これを処方データにしたがって分包単位（１回の服用量）に均等分割し、分包ユニット５へ送り出す。これにより、分包ユニット５において、散薬が１回の服用量ずつ分包される。なお、散薬供給ユニット３が処方散薬を分包単位に分割するための構成については、ここでは詳述しない。図１では、散薬供給ユニット３において二つの投入部３１・３２が設けられた構成を例示したが、投入部の数は任意である。
【００６６】
［手撒きユニット４］
手撒きユニット４は、例えば冷所での保管等の特別な管理が必要であったり、処方頻度が少なかったり等の理由で、錠剤カセット２１・２２での管理に適さない錠剤を、薬剤師が手作業で分包単位に分配するために用いられる。図３は、手撒きユニット４が備える薬剤トレイの外観を示す斜視図である。手撒きユニット４の薬剤トレイは、図３に示すように、マトリクス状に区分された複数のセル４１を備えている。薬剤師によって、１回の服薬量の薬剤が、１つのセル４１に投入される。
【００６７】
図３に例示した手撒きユニット４では、６行８列で合計４８個のセル４１が設けられている。以下、セル４１のそれぞれを区別して説明する際には、４１０１〜４１４８の参照符号を用いる。なお、図３においては、図示の簡略化のために、参照符号４１０１〜４１４８の一部のみを表記している。なお、本実施形態においては、薬剤トレイにおけるセル４１の個数は４８個とするが、セルの個数はこの例に限定されず、任意である。
【００６８】
薬剤師が、処方データにしたがってセル４１へ薬剤の手撒きを完了すると、処方データで指定された用法・用量のとおりに正しく薬剤が投入されているか否かが、他の薬剤師または手撒きを行った薬剤師本人により、鑑査される。
【００６９】
セル４１のそれぞれの底面は、個別に開閉するように構成されている。また、手撒きユニット４は、図２に示すように、セル４１の底面の開閉を個別に制御するために、セル開閉制御部４４を備えている。セル開閉制御部４４は、分包ユニット５の分包処理制御部５１と連動する。セル４１の底面が開口すると、当該セル４１内の薬剤が分包ユニット５へ送り出される。セル４１の底面の開閉と、分包ユニット５の動作とは連動する。すなわち、鑑査が完了した後、薬剤師が分包処理をスタートさせるスタートボタンを操作することにより、セル４１の底面が一つずつ開口して、セル４１内の薬剤が分包ユニット５へ順次送り出される。分包ユニット５へ送り出された薬剤は、後に説明するように、分包ユニット５において１セル分ずつ分包される。これにより、１回の服用分ずつセル４１に投入された薬剤が、分包ユニット５において個別に分包される。
【００７０】
手撒きユニット４においては、図３に示すように、それぞれのセル４１の枠の一辺に、ＬＥＤ４２が埋め込まれている。ＬＥＤ４２は、複数色を切り替え表示することが可能である。このＬＥＤ４２の表示色を制御するために、図２に示すように、手撒きユニット４はＬＥＤ制御部４３を備えている。ＬＥＤ制御部４３は、処方制御ユニット１の制御部１１からの指示を受けて、手撒きユニット４のＬＥＤ４２の発光色を制御する。このＬＥＤ制御部４３によるＬＥＤ４２の発光色制御については、後に詳述する。
【００７１】
［分包ユニット５］
分包ユニット５は、錠剤供給ユニット２、散薬供給ユニット３、および手撒きユニット４から送り出されてくる薬剤を分包する。分包紙は、紙またはセロハン等を材料としており、熱圧着によって、薬剤を１回分の服薬量毎に分けて密封包装する。
【００７２】
図４は、分包ユニット５から排出される薬包シート５０１の一例を示す図である。図４に示すように、薬包シート５０１は、１回の服用量ずつ薬剤が分包された薬包５０２が連なった状態に形成される。薬包５０２の間にはミシン目５０３が形成されており、このミシン目５０３に沿って薬包５０２を個々に切り離すことができる。なお、図４の例では、錠剤のみが分包された状態を例示しているが、散薬のみを分包することもできる。また、錠剤と散薬とを同じ薬包に封入することも可能である。図４には図示していないが、薬包５０２の表面には、患者の氏名や顔写真、薬剤名、用法・用量等の様々な情報を印刷することが可能である。
【００７３】
なお、薬剤分包装置１００では、薬包シート５０１における薬包５０２の順序を、「連続」および「反復」の２種類から選択することができる。「連続」が選択されると、同じ服用時期の薬包５０２が連続するように薬包シート５０１が形成される。「反復」が選択されると、１日分の薬包５０２が服用時期の順に並ぶように薬包シート５０１が形成される。例えば、「朝食後」、「昼食後」、「夕食後」の３種類の服用時期について５日分が処方される場合、「連続」が選択されると、「朝食後」の薬包５０２が５つ連続し、その後に「昼食後」の薬包５０２が５つ連続し、さらにその後に「夕食後」の薬包５０２が５つ連続した状態で、薬包シート５０１が形成される。一方、「反復」が選択されると、「朝食後」、「昼食後」、および「夕食後」のセットが５日分繰り返される順序に、薬包シート５０１が形成される。「連続」と「反復」のいずれを選択するかは、薬剤師が処方制御ユニット１から指定することができる。
【００７４】
［バーコードリーダ６］
バーコードリーダ６は、薬品を識別するコードを読み取るものであり、薬局の薬品棚などに設けられた錠剤の収容容器（箱、瓶など）またはＰＴＰシートなどに記載されたＪＡＮコード、ＲＳＳコード、またはＱＲコード（登録商標）を読み取るコード読取手段であって、例えばＰＤＡなどの携帯端末である。なお、バーコードリーダ６は、例えば薬剤師などが薬品を保管庫から取り出す際に使用する従来周知の補助装置などであってもよい。前記補助装置は、薬剤師等が処方箋に従って薬品棚から薬品を取り出して手動で調剤する際に用いられ、例えば、前記収容容器に記載されたＪＡＮコードから薬品を読み取って、その読み取られた薬品と処方データとの照合を行う。
【００７５】
バーコードリーダ６により読み取られた情報は、バーコードリーダ６から無線通信により処方制御ユニット１に入力される。このように無線通信を利用すれば、バーコードリーダ６を薬剤分包装置１００または薬品棚などに自由に持ち運び可能であり、錠剤カセット２２への錠剤の投入作業を任意の場所で行うことも可能となる。もちろん、バーコードリーダ６が処方制御ユニット１に有線接続されることも考えられる。なお、薬局内に薬剤分包装置１００が複数台設けられる場合には、薬剤分包装置１００の各々に予め対応付けられたバーコードリーダ６が個別に設けられる。
【００７６】
［手撒き作業支援画面］
次に、薬剤分包装置１００において手撒き作業を支援するために設けられている機能について説明する。薬剤分包装置１００においては、手撒き作業が行われる際に、処方制御ユニット１と手撒きユニット４とが連動し、処方制御ユニット１のモニタ１３に手撒き作業支援画面を表示すると共に、手撒きユニット４において、薬剤トレイのどのセル４１にどの薬剤を投入すべきかを案内するために、ＬＥＤ４２が点灯する。
【００７７】
なお、以下では、図５に示す内容の処方データが薬剤分包装置１００へ入力されたものとして、説明を行う。図５に示す処方データは、４種類の薬剤を、服用時期を１日４回として処方するものである。また、ここでは、１５日分が処方されるものとする。したがって、この処方データにしたがって分包される薬包５０２の総数は６０である。手撒きユニット４のセル４１の数は４８であって、分包される薬包５０２の個数よりも少ないので、この場合、２サイクルの手撒き作業が必要となる。すなわち、制御部１１は、１サイクル目で４８個のセルを用いて４８個の薬包を分包し、２サイクル目で残りの１２個の薬包を分包するように、処方制御ユニット１、手撒きユニット４、および分包ユニット５を連動させる。また、以下では、薬包シート５０１における薬包５０２の順序として、「連続」が選択されているものとする。なお、ここに示した具体的な数値（薬剤の種類、服用時期の数、処方日数、およびセルの数等）は、本発明を限定するものではなく、適宜に変更することが可能である。
【００７８】
図６は、手撒き作業の開始時に、処方制御ユニット１のモニタ１３に表示される手撒き作業支援画面の初期画面１１０である。この初期画面１１０は、例えば、処方入力端末２００から取得した処方データに手撒き作業が必要な薬剤が含まれていることを制御部１１が検出した際に、制御部１１によってモニタ１３に表示される。
【００７９】
図６に示すように、手撒き作業支援画面は、セルイメージ領域１１１、薬剤リスト領域１１２、薬剤画像領域１１３、および、用量表示領域１１４を含む。セルイメージ領域１１１は、手撒きユニット４の薬剤トレイの複数のセル４１を、実際のセル配置に対応して模式的に表したものである。すなわち、セルイメージ領域１１１には、手撒きユニット４のセル４１と同じ個数（４８個）のセル部１１１ｃ０１〜１１１ｃ４８が、手撒きユニット４の薬剤トレイ上の配置と同じ行列数（６行×８列）で表示されている。なお、図６においては、図示の簡略化のために、セル部１１１ｃ０１〜１１１ｃ４８の参照符号を一部のみ表記している。手撒き作業支援画面において、セルイメージ領域のセル部１１１ｃ０１は、手撒きユニット４のセル４１０１に対応する。以下同様に、セル部１１１ｃ０２〜１１１ｃ４８は、手撒きユニット４のセル４１０２〜４１４８に対応する。
【００８０】
初期画面１１０においては、セルイメージ領域１１１のセル部１１１ｃ０１〜１１１ｃ４８は、全て同じ色（例えば白色等）に表示されており、それぞれのセルの中には何も表示されていない。また、初期画面１１０においては、薬剤画像領域１１３には何も表示されない。
【００８１】
用量表示領域１１４は、初期画面１１０においては、処方データに基づいて、服用時期のみが表示される。ここでは、１日４回の服用時期のそれぞれは、用量表示領域１１４において、「分１  起床時」、「分２  朝食後」、「分３  昼食後」、「分４  夕食後」と表記されている。また、用量表示領域１１４において、「分１」の表記部分の背景色が紫色とされている。同様に、「分２」の表記部分の背景色が黄色、「分３」の表記部分の背景色が青色、「分４」の表記部分の背景色が赤色とされている。なお、１日あたりの服用回数（分数）の最大値は、この例では８であり、用量表示領域１１４は、「分１」〜「分８」を表示可能に構成されている。図５に示した処方データでは、服用時期が４回であるので、「分５」〜「分８」の欄には何も表示されない。なお、「分１」〜「分８」のそれぞれの背景色として何色を用いるかは、あらかじめ設定して記憶部１２に登録しておくことができる。
【００８２】
なお、図６においては便宜上、ハッチングの線の向きによって色を表現している。すなわち、図６においては、紫色を右下がりの斜線のハッチング領域として表現し、同様に、黄色を右上がりの斜線のハッチング領域、青色を水平線のハッチング領域、赤色を垂直線のハッチング領域、によってそれぞれ表現している。
【００８３】
薬剤リスト領域１１２には、処方データに含まれる薬剤ごとに、薬品名欄１１２ａ、総量欄１１２ｂ、錠型イメージ欄１１２ｃ、およびセルパターン欄１１２ｄが含まれる。薬品名欄１１２ａには、処方データから各薬剤の薬品名が抽出されて表示される。総量欄１１２ｂには、各薬剤の１日分の錠剤の総数が、処方データから抽出されて表示される。錠型イメージ欄１１２ｃには、各薬剤の錠型イメージが表示される。この錠型イメージの画像データは、記憶部１２の医薬品マスタから取得することができる。セルパターン欄１１２ｄは、服用時期毎に分割され、服用時期毎の錠数が表示される。セルパターン欄１１２ｄにおいて、服用時期毎の錠数を表示する領域の背景色は、用量表示領域１１４における「分１」〜「分４」の表記部分の背景色と同じ色が対応付けられている。なお、後に詳述するが、用量表示領域１１４の分数（「分１」〜「分４」）の背景色と、薬剤リスト領域１１２のセルパターン欄１１２ｄの服用時期毎の背景色とは、手撒きトレイ４のＬＥＤ４２の発光色と対応付けられている。
【００８４】
薬剤師は、薬剤リスト領域１１２に表示されている薬剤を、保管庫等からあらかじめ取り出しておく。薬剤師が、薬剤の容器等に付与されているバーコードを、バーコードリーダ６で読み取ると、バーコードリーダ６で読み取られたバーコード情報が、処方制御ユニット１へ送信される。処方制御ユニット１の制御部１１は、ここで読み取られたデータに基づいて、バーコードリーダ６で読み取られた容器の薬剤が、処方データ上の薬剤のいずれかと一致するか否かを判断する。
【００８５】
一致していることが確認されると、制御部１１は、手撒き作業支援画面を、初期画面１１０から、選択薬剤対応画面１２０へ切り替える。図７は、選択薬剤対応画面１２０の一例であって、図６の初期画面１１０において、薬剤リスト領域１１２の上から２行目に表示されていた「ｂｂｂｂ  ＯＤ錠１５ｍｇ」という薬剤が選択された後の画面である。選択薬剤対応画面１２０では、薬剤リスト領域１１２において、選択されている薬剤の行の背景を他の行とは異なる色に表示すること等により、当該薬剤が選択されていることを表す。例えば、図７の例では、薬剤リスト領域１１２の上から２行目の「ｂｂｂｂ  ＯＤ錠１５ｍｇ」が選択されている状態を模式的に示している。なお、選択されている薬剤を薬剤リスト領域１１２において判別可能とする表示態様は、このように背景色を異ならせる態様に限定されず、任意の表示態様とすることができる。
【００８６】
図７に示すように、選択薬剤対応画面１２０においては、選択された薬剤「ｂｂｂｂ  ＯＤ錠１５ｍｇ」の画像が、薬剤画像領域１１３に表示されている。薬剤画像領域１１３に表示される画像は、薬剤の外観を表す画像であれば良い。すなわち、薬剤画像領域１１３に表示される画像は、薬剤のイラスト画像であっても良いし、実際の薬剤を撮影して得られた写真画像であっても良い。薬剤のイラスト画像および写真画像は、前述したように、記憶部１２の医薬品マスタに登録されている。イラスト画像の場合は、薬剤を他の薬剤と識別できるように、薬剤の特徴的な形状が表現されていることが好ましい。薬剤の特徴的な形状とは、例えば、カプセル／錠剤の区別、割線の有無、刻印等が挙げられる。本実施形態では、イラスト画像と写真画像の両方が記憶部１２の医薬品マスタに登録されており、イラスト画像と写真画像のいずれを表示させるかを選択することができる。図７の例では、写真画像が選択表示されているが、薬剤画像領域１１３において「イラスト」のタブをクリックまたはタッチすることにより、イラスト画像に切り替えることができる。
【００８７】
なお、選択薬剤対応画面１２０において薬剤が選択されると、制御部１１が、記憶部１２の医薬品マスタを照合することにより、選択された薬剤の画像を取得する。このとき、制御部１１は、選択された薬剤のイラスト画像および写真画像が記憶部１２の医薬品マスタに登録されていないと判定した場合は、例えば「医薬品マスタに薬剤画像が登録されていません。」といったメッセージを、薬剤画像領域１１３等に出力することが好ましい。このような状況は、例えば、新薬の情報が、記憶部１２の医薬品マスタにまだ反映されていない時期に起こり得る。
【００８８】
薬剤画像領域１１３に表示される画像には、図７に示しているように、錠剤のサイズ（直径および厚さ）が併記されていることが好ましい。錠剤サイズは、記憶部１２の医薬品マスタから取得することができる。このように、薬剤画像領域１１３に、選択された薬剤の画像が、好ましくは錠剤サイズと共に表示されることにより、薬剤師が、手撒きする薬剤が処方に合致しているか否かを目視で容易に確認することができる。
【００８９】
また、薬剤が選択されると、制御部１１は、処方データに基づき、用量表示領域１１４に、選択された薬剤の服用時期毎の用量を表示する。図７の例では、選択された薬剤「ｂｂｂｂ  ＯＤ錠１５ｍｇ」の用量が、「分２  朝食後」に１錠、「分３  昼食後」に１錠、「分４  夕食後」に１錠であることが表示されている。
【００９０】
さらに、図７に示すように、選択薬剤対応画面１２０においては、セル選択された薬剤「ｂｂｂｂ  ＯＤ錠１５ｍｇ」イメージ領域１１１のセル部１１１ｃ０１〜１１１ｃ４８のそれぞれが、選択されている薬剤の服用時期に応じて、手撒きユニット４のセル４１と同じ色で表示されるよう、制御部１１が処方データに基づいて制御を行う。すなわち、「ｂｂｂｂ  ＯＤ錠１５ｍｇ」の場合、図５に示すように、「起床時」は０錠、「朝食後」に１錠、「昼食後」に１錠、および「夕食後」に１錠を服用するよう処方データに規定されている。
【００９１】
このため、制御部１１は、手撒きユニット４のＬＥＤ制御部４３へ指示を送って、「朝食後」の１５日分に相当するセル４１１６〜４１３０のＬＥＤ４２を黄色に表示させる。また、制御部１１は、セルイメージ領域１１１において、セル４１１６〜４１３０に対応するセル部１１１ｃ１６〜１１１ｃ３０については、これらのセル部の枠を黄色に表示する。また、制御部１１は、セル部１１１ｃ１６〜１１１ｃ３０の枠内に、セル４１１６〜４１３０に投入すべき錠剤数「１」を表示する。
【００９２】
同様に、制御部１１は、手撒きユニット４のＬＥＤ制御部４３へ指示を送って、「昼食後」の１５日分に相当するセル４１３１〜４１４５のＬＥＤ４２を青色に表示させる。また、制御部１１は、セルイメージ領域１１１において、セル４１３１〜４１４５に対応するセル部１１１ｃ３１〜１１１ｃ４５については、これらのセル部の枠を青色に表示する。また、制御部１１は、セル部１１１ｃ３１〜１１１ｃ４５の枠内に、セル４１３１〜４１４５に投入すべき錠剤数「１」を表示する。
【００９３】
同様に、制御部１１は、手撒きユニット４のＬＥＤ制御部４３へ指示を送って、「夕食後」の３日分に相当するセル４１４６〜４１４８のＬＥＤ４２を赤色に表示させる。また、制御部１１は、セルイメージ領域１１１において、セル４１４６〜４１４８に対応するセル部１１１ｃ４６〜１１１ｃ４８については、これらのセル部の枠を赤色に表示する。また、制御部１１は、セル部１１１ｃ４６〜１１１ｃ４８の枠内に、セル４１４６〜４１４８に投入すべき錠剤数「１」を表示する。
【００９４】
一方、「起床時」の１５日分に相当するセル４１０１〜４１１５については、選択薬剤である「ｂｂｂｂ  ＯＤ錠１５ｍｇ」の投入対象ではない。したがって、制御部１１は、セルイメージ領域１１１において、これらのセルに対応するセル部１１１ｃ０１〜１１１ｃ１５については、黒色または灰色のような暗い色で表示する。なお、このとき、投入対象ではないセル４１０１〜４１１５については、ＬＥＤ４２を消灯することが好ましい。
【００９５】
このように、選択薬剤対応画面１２０では、セルイメージ領域１１１において、選択された薬剤である「ｂｂｂｂ  ＯＤ錠１５ｍｇ」を投入すべきセル４１に対応するセル部１１１ｃの枠が、該当する服用時期を表す色で表示される。この色は、対応するセル４１のＬＥＤ４２の表示色と同じ色である。また、選択薬剤対応画面１２０では、各セルに投入すべき錠剤の数も合わせて表示される。これにより、薬剤師は、選択薬剤対応画面１２０を見ながら、同じ色で表示されているセル４１へ、選択薬剤対応画面１２０で指定された数だけ選択薬剤を投入すれば良い。したがって、複数のセル４１のうちのどのセルに何錠投入すれば良いかを目視で確認しながら作業をすることが可能となり、調剤ミスの発生を防止することができる。
【００９６】
このようにして、４８個のセル４１のうち必要なセルに対して「ｂｂｂｂ  ＯＤ錠１５ｍｇ」の投入が完了すると、薬剤師は、保管庫から取り出してきた薬剤のうち、他の薬剤の容器のバーコードをバーコードリーダ６で読み取る。これにより、他の薬剤が選択され、当該薬剤についての選択薬剤対応画面が表示される。
【００９７】
例えば、薬剤リスト領域１１２の１行目に表示されている「ａａａａカプセル０．７５μｇ」という薬剤が選択された後に表示される選択薬剤対応画面１３０を図８に示す。この「ａａａａカプセル０．７５μｇ」は、図５に示すように、「起床時」は１錠、「朝食後」に０錠、「昼食後」に０錠、および「夕食後」に０錠を服用するよう処方データに規定されている。
【００９８】
このため、制御部１１は、手撒きユニット４のＬＥＤ制御部４３へ指示を送って、「起床時」の１５日分に相当するセル４１０１〜４１１５のＬＥＤ４２を紫色に表示させる。また、制御部１１は、セルイメージ領域１１１において、セル４１０１〜４１１５に対応するセル部１１１ｃ０１〜１１１ｃ１５については、これらのセル部の枠を紫に表示する。また、制御部１１は、セル部１１１ｃ０１〜１１１ｃ１５の枠内に、セル４１０１〜４１１５に投入すべき錠剤数「１」を表示する。
【００９９】
一方、「朝食後」の１５日分に相当するセル４１１６〜４１３０、「昼食後」の１５日分に相当するセル４１３１〜４１４５、「夕食後」の３日分に相当するセル４１４６〜４１４８については、選択薬剤である「ａａａａカプセル０．７５μｇ」の投入対象ではない。したがって、制御部１１は、セルイメージ領域１１１において、これらのセルに対応するセル部１１１ｃ１６〜１１１ｃ４８については、黒色または灰色のような暗い色で表示する。
【０１００】
また、選択薬剤対応画面１３０においては、先に投入が完了している「ｂｂｂｂ  ＯＤ錠１５ｍｇ」については、制御部１１が、薬剤リスト領域１１２におけるこの薬剤の行をグレーアウト（暗く表示）している。このように、手撒き作業が完了している薬剤については、薬剤リスト領域１１２においてグレーアウト表示することにより、薬剤師が、手撒き作業が完了している薬剤と完了していない薬剤とを容易に見分けることができる。
【０１０１】
以上と同様の手順により、処方データに含まれている４種類の薬剤すべての手撒き作業を完了すると、他の薬剤師または手撒き作業を行った薬剤師本人によって、鑑査が行われる。鑑査とは、処方どおりに調剤されていることを確認する手続きである。鑑査が完了すると、薬剤師は、分包ユニット５による分包処理をスタートさせるための分包スタートボタンを押下する。この分包スタートボタンは、モニタ１３上の手撒き作業支援画面に組み込まれていても良いし、薬剤分包装置１００の操作盤に設けられていても良い。
【０１０２】
この分包スタートボタンが押下されると、制御部１１は、モニタ１３における２サイクル目の手撒き作業支援画面の表示を可能とする。すなわち、分包スタートボタンが押下される前は、２サイクル目の手撒き作業支援画面への画面遷移は不可能とされている。これにより、１サイクル目に投入された薬剤に、誤って２サイクル目の薬剤が投入されてしまうことを防止することができる。さらに、１つのサイクルの手撒き作業が完了して分包スタートボタンが押下され、次サイクルの手撒き作業支援画面が表示された後は、前の手撒き作業支援画面への画面遷移はできない構成となっている。これにより、例えば、１サイクル目の手撒き作業が完了して２サイクル目の手撒き作業を行っている間に、誤って１サイクル目の薬剤が投入されてしまうことを防止することができる。
【０１０３】
また、分包スタートボタンが押下されると、前述したように、手撒きユニット４のセル４１０１〜４１４８の底面がこの順に開口することにより、セル４１０１〜４１４８内の薬剤が分包ユニット５に１薬包分ずつ送り出され、分包ユニット５において分包される。
【０１０４】
分包ユニット５において４８個の薬包５０２の分包処理が開始されると、分包ユニット５の分包処理制御部は、１サイクル目の分包処理が開始された旨の信号を制御部１１へ送る。制御部１１は、この信号を受信すると、処方データに基づいて、２サイクル目の手撒き作業支援画面を、モニタ１３へ表示する。すなわち、１サイクル目の手撒き作業によって、「起床時」の１５日分、「朝食後」の１５日分、「昼食後」の１５日分、および「夕食後」の３日分の合計４８個の薬包５０２が分包されたので、２サイクル目の手撒き作業によって、残りの「夕食後」の１２日分の薬剤をセル４１に投入する。
【０１０５】
図９は、２サイクル目の手撒き作業においてモニタ１３に表示される手撒き作業支援画面（選択薬剤対応画面１４０）を示す。図９は、図７と同様に、「ｂｂｂｂ  ＯＤ錠１５ｍｇ」が選択されている状態である。２サイクル目の手撒き作業において、「ｂｂｂｂ  ＯＤ錠１５ｍｇ」が選択された場合の選択薬剤対応画面１４０は、セルイメージ領域１１１の表示を除けば図７に示した選択薬剤対応画面１２０と同様である。選択薬剤対応画面１４０のセルイメージ領域１１１には、セル部１１１ｃ０１〜１１１ｃ１２の枠が「夕食後」に対応した赤色に表示され、投入すべき錠数として「１」が表示される。また、図９の選択薬剤対応画面１４０においては、画面の左下に手撒き作業が２サイクル目であることを表す「２／２撒き目です。」というメッセージが表示されている。一方、図７の選択薬剤対応画面１２０には、手撒き作業が１サイクル目であることを表す「１／２撒き目です。」というメッセージが表示されている。これにより、薬剤師は、手撒き作業の進捗状況を正しく把握することができる。
【０１０６】
ここで、図１０を参照しながら、制御部１１が制御する薬剤分包処理の流れについて説明する。図１０は、薬剤分包処理の主要な動作の流れを示すフローチャートである。
図１０に示すように、制御部１１は、処方データを取得すると（ステップＳ１）、取得した処方データに基づいて、モニタ１３に、手撒き作業支援画面の初期画面１１０を表示する（ステップＳ２）。
【０１０７】
そして、制御部１１が、バーコードリーダ６によって読み取られた薬剤容器のバーコード情報を取得した場合は（ステップＳ３）、このバーコード情報が示す薬剤が、処方データに含まれている薬剤と一致するか否かを判断する（ステップＳ４）。ステップＳ４において一致しないと判断された場合は、エラーが通知される。ステップＳ４において一致すると判断された場合、制御部１１は、バーコード情報が示す薬剤が選択されたものとして、その薬剤についての選択薬剤対応画面をモニタ１３に表示する（ステップＳ５）。また、ステップＳ５においては、制御部１１は、手撒きユニット４のＬＥＤ制御部４３へ指示を送り、選択された薬剤を投入すべきセル４１のＬＥＤ４２に、服用時期毎に定められている色を表示させる。なお、前記選択薬剤対応画面においては、前述したように、セルイメージ領域１１１のセル部１１１ｃは、対応するセル４１のＬＥＤ４２の表示色と同じ色で表示される。また、選択薬剤対応画面においては、前述したように、セルイメージ領域１１１のセル部１１１ｃには、対応するセル４１へ投入すべき錠数が表示される。
【０１０８】
その後、制御部１１の制御は、ステップＳ３へ戻り、以上の処理が繰り返される。
【０１０９】
また、ステップＳ３において、制御部１１が、分包スタートボタンが押下されたことを検知した場合は、制御部１１は、分包ユニット５に対して、分包処理の開始を指示する（ステップＳ６）。そして、制御部１１は、処方データに基づいて、次のサイクルの手撒き作業が存在するか否かを判断し（ステップＳ７）、次のサイクルの手撒き作業が存在する場合は、次のサイクルに対応する手撒き作業支援画面をモニタ１３へ表示して（ステップＳ８）、ステップＳ３へ戻る。ステップＳ７において次のサイクルの手撒き作業が存在しない場合は、処理を終了する。
【０１１０】
以上のとおり、第１の実施形態では、処方制御ユニット１の制御部１１が、手撒きユニット４のセル４１のＬＥＤ４２を、服用時期毎に異なる色を表示させ、モニタ１３の手撒き作業支援画面内に、セル４１の実際の配置に即したセルイメージ領域１１１を表示し、このセルイメージ領域１１１において、薬剤を投入すべきセル部１１１ｃを、対応するセル４１と同じ色で表示する。これにより、複数の薬剤を処方する場合に、それぞれの薬剤を複数のセル４１のうちどのセルに投入すれば良いかを確認しながら作業することができる。
【０１１１】
また、制御部１１により、セルイメージ領域１１１の各セル部１１１ｃには、対応するセル４１に投入すべき錠剤の数が表示される。これにより、各セル４１に投入する錠剤の数を容易にかつ確実に確認することが可能となる。
【０１１２】
さらに、制御部１１により、手撒き作業支援画面内の薬剤画像領域１１３に、手撒き作業を行う薬剤の画像が表示される。これにより、セル４１に投入すべき薬剤と、保管庫から取り出してきた薬剤との照合をより確実に行うことができる。
【０１１３】
なお、上記の具体例においては、薬包シート５０１における薬包５０２の順序として、「連続」が選択されているものとして説明を行った。これに対して、薬包シート５０１における薬包５０２の順序として、「反復」が選択されている場合は、例えば、図７に示した選択薬剤対応画面１２０におけるセルイメージ領域１１１の表示態様は、図１１に示すようになる。
【０１１４】
［第２の実施形態］
本発明の第２の実施形態について、以下に説明する。なお、第１の実施形態において説明した構成と同様の機能を有する構成については、同じ参照符号を付記し、詳細な説明を省略する。
【０１１５】
第２の実施形態は、制御部１１が、手撒き作業支援画面において、分包イメージを表示する点において、第１の実施形態と異なっている。図１２は、本実施形態にかかる手撒き作業支援画面の初期画面２１０において、分包イメージ領域２１１が表示されている態様を示す図である。なお、この第２の実施形態においても、処方データは、第１の実施形態において図５に示したものと同じであるものとして、説明を行う。
【０１１６】
この初期画面２１０は、第１の実施形態で説明した初期画面１１０と同様に、処方データが入力された際に、制御部１１が処方データに基づいてモニタ１３に表示する画面である。また、初期画面２１０においては、初期画面１１０と同様に、まだいずれの薬剤も選択されていない状態である。
【０１１７】
初期画面２１０の分包イメージ領域２１１は、図１２に示すように、服用時期毎に枠が設けられ、それぞれの枠内に、服用時期毎に投入されるべき薬剤の総数を、薬剤の画像によって表示するものである。図１２の例では、「起床時」には「ａａａａカプセル０．７５μｇ」が１錠と、「ｄｄｄｄソフトカプセル２００ｍｇ」が１錠の合計２錠が処方されているので、分包イメージ領域２１１の「起床時」の欄２１１ａに、これらの錠剤のイラスト画像が表示されている。また、「朝食後」には、「ｂｂｂｂ  ＯＤ錠１５ｍｇ」が１錠、「ｃｃｃｃ錠２．５ｍｇ」が１錠、「ｄｄｄｄソフトカプセル２００ｍｇ」が１錠の合計３錠が処方されているので、分包イメージ領域２１１の「朝食後」の欄２１１ｂに、これらの錠剤のイラスト画像が表示されている。分包イメージ領域２１１の「昼食後」の欄２１１ｃおよび「夕食後」の欄２１１ｄについても同様である。
【０１１８】
分包イメージ領域２１１に表示する錠剤のイラスト画像は、制御部１１が、処方データに基づいて、記憶部１２の医薬品マスタ等から取得することができる。なお、ここでは、分包イメージ領域２１１にイラスト画像を表示する例を示しているが、イラスト画像ではなく、薬剤の写真画像を表示しても良い。なお、０．５錠や０．２５錠単位等での処方がなされる錠剤については、０．５錠や０．２５錠に割られた様子を表す画像（イラスト画像または写真画像）を、前記医薬品マスタにあらかじめ登録しておいて使用することが好ましい。
【０１１９】
また、服用回数が多い場合には、図１２において分包イメージ領域２１１の右横に表示されているスクロールボタン２１１ｅをクリックまたはタッチすることにより、分包イメージ領域２１１内で表示内容がスクロールする。例えば、図１２に示した例では、４回分の処方が表示されているが、服薬タイミングが５回以上である場合、スクロールボタン２１１ｅをクリックすることにより、図１２では表示されていない服薬タイミング（例えば「就寝前」等）の処方内容を表示させることができる。
【０１２０】
また、１回の服用回数に対して処方される薬剤の錠数が多くて全体を表示できない場合は、分包イメージ領域２１１の欄２１１ａ〜２１１ｄのそれぞれの枠内にスクロールボタンを設けて、枠内で表示内容をスクロールさせることができるようにしても良い。
【０１２１】
このように、分包イメージ領域２１１に、服用時期毎にセル４１に投入されるべき薬剤の総数を、薬剤の画像によって表示することにより、目視による鑑査が容易になるという利点がある。
【０１２２】
また、初期画面２１０が表示された状態から、いずれかの薬剤が選択されると、制御部１１は、図１３に示すような選択薬剤対応画面２２０に表示を切り替える。図１３の例では、「ｂｂｂｂ  ＯＤ錠１５ｍｇ」が選択されている。選択薬剤対応画面２２０においては、図１３に示すように、選択された薬剤「ｂｂｂｂ  ＯＤ錠１５ｍｇ」のみの画像を、分包イメージ領域２１１に服用期間毎に表示する。これにより、いずれかの薬剤を選択して手撒き作業を行っている間、服用期間毎に各セルに何錠を投入すれば良いかを、容易に確認することができる。
【０１２３】
なお、図１３に示す選択薬剤対応画面２２０において、右下に表示されている「選択解除」ボタン２２０ａがクリックまたはタッチされると、制御部１１は、モニタ１３の表示を、図１２に示す初期画面２１０に戻す。これにより、薬剤師はいつでも、手撒き作業が完了した状態を確認することができる。
【０１２４】
また、このように、選択薬剤対応画面２２０から初期画面２１０へ戻った際に、制御部１１が、既に手撒き作業が完了している薬剤の画像については、分包イメージ領域２１１内でグレーアウト表示するようにしても良い。これにより、手撒きが完了している薬剤と、完了していない薬剤とが区別可能に表示されるので、薬剤師が手撒き作業の進捗状況を確認しやすいという利点がある。
【０１２５】
なお、上記の具体例では、分包イメージ領域２１１に錠剤のイラスト画像が表示されるものとしたが、記憶部１２の医薬品マスタに錠剤の写真画像が登録されている場合は、イラスト画像の代わりに写真画像を用いるようにしても良い。
【０１２６】
また、図１２に示す初期画面２１０において、薬剤リスト領域１１２においていずれの薬剤も選択されていない状態において、分包イメージ領域２１１の欄２１１ａ〜２１１ｄに対するタッチ操作等によっていずれかの服用時期が選択されると、制御部１１が、図１４に示すような、選択された服用時期に対応する薬剤の情報を表示する服用時期対応画面２３０を表示するようにしても良い。
【０１２７】
服用時期対応画面２３０では、セルイメージ領域１１１において、選択された服用時期に対応する薬剤を投入すべきセルに対応するセル部１１１ｃのみが、色付きで表示される。また、色付きで表示されたセル部１１１ｃに、当該服用時期について処方される薬剤の錠数の合計数が表示される。なお、選択された服用時期に対応するセルの色付き表示と、錠数の合計数の表示とは、いずれか一方のみを行うようにしても良い。
【０１２８】
例えば、図１４に示した服用時期対応画面２３０は、図１２に示す初期画面２１０において、「起床時」の欄２１１ａがタッチ操作で選択された場合の画面である。図１４の例では、分包イメージ領域２１１において、選択された「起床時」の欄２１１ａを囲む太枠により、この服用時期が選択されたことを表している。しかし、表示態様はこれに限定されず、例えば、選択された「起床時」の欄２１１ａのみを目立つ色でハイライト表示したり、または、選択されていない服用時期の欄２１１ｂ〜２１１ｄを、非選択であることがわかるように、グレーアウト表示したりしても良い。
【０１２９】
図１４に示す例では、セルイメージ領域１１１において、「起床時」の薬剤が投入されるべきセル部１１１ｃ０１〜１１１ｃ１５の枠が色付き（例えば紫）で表示される。そして、これとは区別可能とするために、それ以外のセル部１１１ｃ１６〜１１１ｃ４８については、黒色または灰色のような暗い色で表示する。
【０１３０】
また、図１４に示す例では、選択された「起床時」について処方される薬剤は、「ａａａａカプセル０．７５μｇ」が１錠と、「ｄｄｄｄソフトカプセル２００ｍｇ」が１錠の合計２錠である。したがって、「起床時」の薬剤が投入されるべきセル部１１１ｃ０１〜１１１ｃ１５には、「起床時」について処方される薬剤の錠剤数の総数である「２」が表示されている。
【０１３１】
なお、薬剤リスト領域１１２において、選択された服用時期に処方されない薬剤については、図１４に示すようにグレーアウト表示されていることが好ましい。
【０１３２】
このように、手撒き作業が完了した後、あるいは、手撒き作業の途中で、服用時期毎の処方（錠剤の種類や総数）を確認したい場合に、薬剤リスト領域１１２においていずれの薬剤も選択されていない状態で、分包イメージ領域２１１において所望の服用時期をタッチ操作で選択するだけで良い。
【０１３３】
また、服用時期対応画面２３０において、薬剤リスト領域１１２でいずれかの薬剤を選択すると、セルイメージ領域１１１のセル部１１１ｃ０１〜１１１ｃ１５の表示が切り替わり、選択された薬剤の投与錠数のみが表示されるようにすることが好ましい。例えば、図１５に示す例では、「起床時」について処方される薬剤のうち、「ａａａａカプセル０．７５μｇ」が薬剤リスト領域１１２において選択されたことにより、セル部１１１ｃ０１〜１１１ｃ１５内に、この薬剤の処方数である「１」が表示されている。これにより、手撒き作業が完了した後、あるいは、手撒き作業の途中で、服用時期毎の特定の薬剤の処方数を、目視で容易に確認することが可能となる。
【０１３４】
なお、服用時期対応画面２３０において、薬剤リスト領域１１２でいずれかの薬剤を選択した場合に、分包イメージ領域２１１においても、選択された薬剤の画像のみをハイライト表示したり、選択されていない薬剤の画像をグレーアウト表示したりしても良い。
【０１３５】
以上のように、第２の実施形態においては、手撒き作業支援画面において、服用時期のそれぞれに対して処方される錠剤の総数を画像で示す分包イメージ領域２１１が表示される。これにより、この分包イメージ領域２１１内の画像を見ながら手撒き作業を行うことにより、各服用時期に対して投入すべき錠剤の種類と数を、目視で容易に確認することができる。また、手撒き作業が完了した後の鑑査が容易になるという利点もある。
【０１３６】
さらに、分包イメージ領域２１１に対するタッチ操作等によっていずれかの服用時期が選択されると、選択された服用時期に対応するセル部のみをセルイメージ領域において色付き表示とし、かつ、当該服用時期について処方される錠剤の総数をセル部内に表示する。これにより、手撒き作業を行う薬剤師は、それぞれの服用時期について、どのセルに何錠が投与されていれば良いかを、容易に確認することができる。
【０１３７】
また、第２の実施形態を以下のように変形して実施することも可能である。
【０１３８】
[変形例]
第２の実施形態の変形例においては、初期画面２１０（図１２参照）が表示された状態から、薬剤リスト領域１１２からいずれかの薬剤が選択されると、制御部１１は、図１６に示すような選択薬剤対応画面２２０に表示を切り替える。すなわち、図１２に示した初期画面２１０が表示された状態において、「ｂｂｂｂ  ＯＤ錠１５ｍｇ」が選択されると、選択薬剤対応画面２２０においては、図１６に示すように、処方データに含まれるすべての薬剤のうち、選択された薬剤「ｂｂｂｂ  ＯＤ錠１５ｍｇ」の画像のみが、分包イメージ領域２１１においてハイライト表示（図１６において符号２１１Ｈを付した部分）される。なお、図１６においては、分包イメージ領域２１１においてハイライト表示されている箇所（２１１Ｈ）をハッチングで表しているが、実際の画面では、当該箇所は、例えば、背景色を黄色等の目立つ色で表示すること等によって、ハイライト表示がなされる。
【０１３９】
したがって、図１６の選択薬剤対応画面２２０によれば、起床時、直食後、昼食後、夕食後のそれぞれの服薬タイミングについて処方すべき薬剤の種類と数とを確認することができる。それと共に、現在手撒き作業を行っている薬剤の種類と数とがハイライト表示されるので、作業の進捗を確認しつつ、現在の手撒き作業で投入すべき錠剤の種類と数を、目視で容易に確認することができる。
【０１４０】
また、この変形例において、薬剤師が、手撒きしようとする薬剤を薬剤リスト領域１１２から選択し、その薬剤の容器等に付与されているバーコードをバーコードリーダ６で読み取ると、制御部１１は、薬剤リスト領域１１２で選択された薬剤と、バーコードリーダ６で読み取られた薬剤とが一致した場合、図１７に示すように、分包イメージ領域２１１において、当該薬剤の画像にチェックマークを付与して表示する。
【０１４１】
このチェックマークは、薬剤リスト領域１１２で他の薬剤が選択された後も消えずに継続して表示される。したがって、処方データに含まれるすべての薬剤について手撒き作業が正しく行われた場合は、作業完了時には、すべての薬剤に対してチェックマークが付与されているはずである。これにより、処方漏れがないかを目視で容易に確認することができる。
【０１４２】
［第３の実施形態］
第３の実施形態に係る薬剤分包装置は、第１の実施形態または第２の実施形態の薬剤分包装置において、手撒き薬剤のバーコード照合に関する機能を充実させたものである。すなわち、第３の実施形態に係る薬剤分包装置は、処方データに含まれる手撒き薬剤のすべてについてバーコード照合を完了していなければ分包を開始することができない「照合必須モード」を有している。以下、本実施形態に係る薬剤分包装置の動作について、説明する。
【０１４３】
図１８は、第３の実施形態に係る薬剤分包装置において、動作モードが照合必須モードである場合の動作を示すフローチャートである。図１８に示すように、第３の実施形態に係る薬剤分包装置においては、制御部１１が、バーコードリーダ６によって読み取られた薬剤容器のバーコード情報を取得した場合は（ステップＳ１３）、このバーコード情報が示す薬剤が、処方データに含まれている薬剤と一致するか否かを判断する（ステップＳ１４）。ステップＳ１４において一致しないと判断された場合は、エラーが通知される。ステップＳ１４において一致すると判断された場合、制御部１１は、バーコード情報が示す薬剤が選択されたものとして、その薬剤についての選択薬剤対応画面をモニタ１３に表示する（ステップＳ１５）。また、ステップＳ１５においては、制御部１１は、手撒きユニット４のＬＥＤ制御部４３へ指示を送り、選択された薬剤を投入すべきセル４１のＬＥＤ４２に、服用時期毎に定められている色を表示させる。なお、前記選択薬剤対応画面においては、前述したように、セルイメージ領域１１１のセル部１１１ｃは、対応するセル４１のＬＥＤ４２の表示色と同じ色で表示される。また、選択薬剤対応画面においては、前述したように、セルイメージ領域１１１のセル部１１１ｃには、対応するセル４１へ投入すべき錠数が表示される。
【０１４４】
次に、制御部１１は、現在の手撒き作業の処方オーダに含まれている手撒き薬剤の全てについて、ステップＳ１４のバーコード照合処理が完了しているか否かを判断する（ステップＳ１６）。手撒き薬剤の全てについてバーコード照合処理が完了していれば、制御部１１は、分包スタートボタンをアクティブ化する（ステップＳ１７）。この分包スタートボタンは、モニタ１３上の手撒き作業支援画面に組み込まれていても良いし、薬剤分包装置１００の操作盤に設けられていても良い。第３の実施形態の薬剤分包装置においては、照合必須モードが選択されている場合、制御部１１がステップＳ１７においてこの分包スタートボタンをアクティブ化しなければ、分包スタートボタンに対する操作は受け付けられない。
【０１４５】
そして、ステップＳ１８において、制御部１１が、分包スタートボタンが押下されたことを検知した場合は、制御部１１は、分包ユニット５に対して、分包処理の開始を指示する（ステップＳ１９）。そして、制御部１１は、処方データに基づいて、次のサイクルの手撒き作業が存在するか否かを判断し（ステップＳ２０）、次のサイクルの手撒き作業が存在する場合は、次のサイクルに対応する手撒き作業支援画面をモニタ１３へ表示して（ステップＳ２１）、ステップＳ１３へ戻る。ステップＳ２０において次のサイクルの手撒き作業が存在しない場合は、処理を終了する。ステップＳ１９〜Ｓ２１の処理は、図１０のステップＳ６〜Ｓ８と同じである。
【０１４６】
このように、処方データに含まれる手撒き薬剤の全てについてバーコード照合が実行されたことを確認するまでは分包スタートボタンをアクティブ化しないことにより、調剤過誤を効果的に防止することができる。
【０１４７】
なお、上述の照合必須モードにおいても、バーコード照合処理を実施しなかったログを記録する所定の手順を踏むことにより、バーコード照合処理をスキップできる構成としても良い。この場合、ログデータとして、日時、処方ＩＤ、未照合薬剤、および、作業を行った薬剤師のユーザーＩＤが、薬剤分包装置の記憶部１２に記録される。
【０１４８】
この所定の手順の一例を以下に説明する。例えば、処方データに手撒き薬剤が含まれている場合は、例えば、図１９に示すような分包モニタ画面が表示される。ここで、薬剤師が、手撒き薬剤の薬剤名欄を選択すると（図１９の例では、一番上に表示された「ｂｂｂｂ  ＯＤ錠１５ｍｇ」の薬剤名欄３０１が選択されているものとする。）、モニタ１３の表示画面は、例えば図２０に示すようなＬＥＤアシスト画面に遷移する。なお、分包モニタ画面において手撒き薬剤が複数表示されている場合は、薬剤師は任意の薬品名欄を選択することができる。
【０１４９】
次に表示されるＬＥＤアシスト画面３００（図２０参照）では、薬剤リスト領域１１２が表示されると共に、選択された手撒き薬剤「ｂｂｂｂ  ＯＤ錠１５ｍｇ」の画像が薬剤画像領域１１３に表示されている。また、セルイメージ領域１１１において、この手撒き薬剤を投入するセル４１が色分け表示され、各セルに投入すべき錠数が表示される。この点は、第１および第２の実施形態で説明したとおりである。なお、図２０においては、ＬＥＤアシスト画面３００が、第２の実施形態で説明した分包イメージ領域２１１を含んでいるが、分包イメージ領域２１１が含まれない表示態様としても良い。
【０１５０】
また、図２０に示すＬＥＤアシスト画面３００には、照合スキップボタン２２０ｂが表示されている。また、照合必須モードで動作中であることを表す「照合必須モード」表示欄２２０ｃも含まれている。
【０１５１】
薬剤師は、この手撒き薬剤「ｂｂｂｂ  ＯＤ錠１５ｍｇ」のバーコード照合処理をスキップしたい場合は、照合スキップボタン２２０ｂを押下する。すると、モニタ１３の表示画面は、図２１に示すような未照合履歴登録画面に遷移する。未照合履歴登録画面では、薬剤師が照合スキップボタン２２０ｂを押下した薬剤名と共に、バーコード照合処理をスキップして良いかを問うメッセージが表示される。この未照合履歴登録画面において、薬剤師は、ユーザー名入力欄３１１に自分のユーザーＩＤを入力してＯＫボタン３１２を押下することにより、未照合履歴登録画面に表示された薬剤のバーコード照合処理をスキップしたというログを残すことができる。すなわち、以上の手順により、薬剤分包装置の記憶部１２に、ＯＫボタン３１２を押下した日時、バーコード照合処理をスキップした薬剤名、処方データを特定する処方ＩＤ、および、薬剤師を特定するユーザーＩＤが、ログとして記録される。
【０１５２】
なお、薬剤師毎に、バーコード照合処理をスキップする権限を持たせるか否かをあらかじめ薬剤分包装置に登録しておくことも可能である。この場合は、記憶部１２に、ユーザーＩＤ毎に、バーコード照合処理をスキップする権限の有無を登録しておけば良い。そして、ＯＫボタン３１２が押下されたときに、ユーザー名入力欄３１１に入力されたユーザーＩＤにバーコード照合処理のスキップ権限が与えられているかを確認し、権限が無いユーザーＩＤの場合はエラーメッセージを出力するようにすれば良い。
【０１５３】
このようにバーコード照合処理をスキップ可能とした場合は、図１８のフローチャートにおけるステップＳ１６の処理を、処方データに含まれる手撒き薬剤の全てについて、バーコード照合処理が完了しているか、または、バーコード照合処理をスキップした旨のログが記憶部１２に残されているか、を確認する処理に変更すれば良い。
【０１５４】
以上のように、第３の実施形態によれば、処方データに含まれる全ての手撒き薬剤について、バーコード照合処理が完了するか、または、バーコード照合処理をスキップした旨のログが記憶部１２に残されているか、のいずれかの条件が満たされなければ分包を開始することができない。これにより、調剤過誤を効果的に防止することが可能となる。
【０１５５】
なお、上記の具体例においては、処方データに含まれる全ての手撒き薬剤について、バーコード照合処理が完了するか、または、バーコード照合処理をスキップした旨のログが記憶部１２に残されているか、のいずれかの条件が満たされた後、すなわち手撒き作業の正常終了が確認された後、に続行される後続処理の一例として、分包処理を例示した。ただし、後続処理は分包処理に限定されず、他の任意の処理であっても良い。
【０１５６】
[その他の実施形態]
以上、本発明の実施形態を具体的に説明したが、本発明の実施形態は上記で説明した態様に限定されず、種々の変更が可能である。
【０１５７】
例えば、上記の実施形態においては、錠剤供給ユニット２、散薬供給ユニット３、および分包ユニット５を備えた薬剤分包装置として本発明を実施する態様を説明した。しかし、上述した構成要素のうち、錠剤供給ユニット２、散薬供給ユニット３、および分包ユニット５の少なくとも一つは省略可能である。最もシンプルな構成としては、錠剤供給ユニット、散薬供給ユニット、および分包ユニットのいずれも備えておらず、手撒きのみを行う薬剤手撒き装置として本発明を実施することも可能である。
【０１５８】
また、処方制御ユニット１の記憶部１２に医薬品マスタが格納されている構成を例示したが、通信ＩＦおよび外部ネットワーク等を介して、装置外部にある医薬品マスタにアクセス可能な構成としても良い。
【０１５９】
また、上記の実施形態においては、錠剤の容器やＰＴＰシート等から薬品を識別するコードを読み取る手段としてバーコードリーダ６を備え、読み取ったバーコードの情報に基づいて、手撒き薬剤が処方データと合致しているかを照合する構成を例示した。しかし、薬品を識別するコードの担持体はバーコードに限定されず、それを読み取る手段もバーコードリーダに限定されない。薬品を識別するコードは、電気的、磁気的、または光学的に読み取ることが可能な任意の担持体によって薬品容器等に付属させることができ、これを読み取る手段も当該コードの特性に応じて適宜に設計すれば良い。
【０１６０】
また、上記の実施形態においては、１サイクルの手撒き作業が完了してから、すなわち、分包すべき薬剤をトレイのセルにすべて撒き終わってから、鑑査を行って分包を開始させる構成を例示した。しかし、手撒きユニット４のセル４１のそれぞれの下に待機セルを備えた構成とし、次のような制御を行うことも可能である。すなわち、１種類の薬剤を撒き終わるごとに鑑査を行い、鑑査が終わって次に手撒きする薬剤が、薬剤師によって薬剤リスト領域１１２において選択されたときに、セル開閉制御部４４が、複数のセル４１の底面を開口する。これにより、セル４１内に撒かれた薬剤は、１種類ずつ、鑑査が終わるごとに待機セルへ送り込まれる。そして、１サイクル分の薬剤の手撒きが完了してから、分包処理をスタートさせるためのスタートボタンが操作されると、待機マス内の薬剤が分包ユニット５へ送り出される。この構成および制御によれば、手撒きする薬剤について１種類ずつ鑑査を行うことが容易となる。
【０１６１】
また、上述のように待機セルを備えた構成において、少なくとも１種類の薬剤を撒き終わるごとに鑑査を行い、鑑査が終わった後に、薬剤師による所定の操作にしたがって、セル開閉制御部４４が複数のセル４１の底面を開口するようにしても良い。ここで、「所定の操作」とは、例えば、セル開閉ボタン等の操作である。この構成において、セル４１に手撒きされた錠剤が待機セルへ送り込まれた後、制御部１１は、それまでに選択された薬剤の画像については、分包イメージ領域２１１に表示しないようにする。この構成によれば、手撒き作業と鑑査が終わった薬剤については、分包イメージ領域２１１に画像が表示されない。つまり、分包イメージ領域２１１には、その後の手撒き作業に必要な薬剤の画像のみが表示されることとなる。これにより、手撒き作業時の目視による確認を、より容易にすることができる。
【０１６２】
なお、上記の実施形態で開示した薬剤リスト領域１１２および用量表示領域１１４は必須ではない。例えば、上記の実施形態では、薬剤リスト領域１１２において薬剤の選択を行う構成を例示した。しかし、薬剤リスト領域１１２を省略し、バーコードリーダ６による薬剤の容器等からのバーコード読み取りによって、薬剤の選択を行う構成としても良い。
【０１６３】
また、上記の実施形態においては、手撒きユニットのトレイに、複数のセルの各々に対応して設けられて複数色を切り替え表示可能な発光部を備えると共に、この発光部の色に対応させて、手撒き作業支援画面のセルイメージ領域のセル部の色を切り替え表示する構成を例示した。しかし、この発光部を省略し、手撒き作業支援画面におけるセル部の色の切り替え表示も省略した構成としても良い。
【０１６４】
さらに、第３の実施形態は、第１または第２の実施形態の変形例として、手撒きユニット４がセル４１のそれぞれに対してＬＥＤ４２を備え、セルイメージ領域１１１と薬剤画像領域１１３等がモニタ１３に表示される構成を前提として、バーコード照合処理が完了しなければ分包スタートボタンを操作できない構成を例示した。ただし、手撒きユニット４のＬＥＤ４２や、モニタ１３に表示されるセルイメージ領域１１１および薬剤画像領域１１３等は、第３の実施形態にとって必須の構成ではない。すなわち、第３の実施形態に関しては、手撒き作業を行う任意の薬剤分包装置において、手撒き薬剤の容器やＰＴＰシート等から薬品を識別するコードを読み取る手段を備え、読み取ったコードの情報に基づいて、手撒き薬剤が処方データと合致しているかを照合する構成を備え、処方データに含まれる全ての手撒き薬剤について照合処理が完了していなければ、あるいは、所定の手順にしたがって照合処理がスキップされた記録が残されていなければ、分包等の後続処理を開始できない装置として、一つの発明を把握することができる。
【０１６５】
例えば、以下の要素を備えた構成（付記１〜２）を、本願に開示された発明として把握することができる。
【０１６６】
［付記１］
複数のセルに区切られ、前記複数のセルの各々に薬剤が投入されるトレイと、処方データに基づいて作業支援画面を表示するモニタと、前記モニタを制御する制御部とを備えた薬剤手撒き装置であって、
前記作業支援画面は、前記トレイの前記複数のセルをセル配置に対応して模式的に表したセルイメージを表示するセルイメージ領域と、薬剤の外観画像を表示する薬剤画像領域とを含み、
前記制御部は、前記処方データに基づいて、前記セルイメージにおいて、前記複数のセルのうち所定の薬剤を投入すべきセル内に、当該セルに投入すべき錠数を表示し、
前記制御部は、前記処方データに基づいて、前記トレイに投入すべき薬剤の外観画像を前記薬剤画像領域に表示する、薬剤手撒き装置。
【０１６７】
上記の付記１に係る発明によれば、作業支援画面において、トレイの複数のセルをセル配置に対応して模式的に表したセルイメージが、複数のセルのそれぞれに投入すべき薬剤の錠数と、その薬剤の外観画像を伴って表示される。これにより、誤ったセルに薬剤を投入したり、投入すべき錠剤の数を誤ったりするという人為的ミスを、効果的に防止することができる。
【０１６８】
［付記２］
複数のセルに区切られ、前記複数のセルの各々に薬剤が投入されるトレイと、処方データに基づいて作業支援画面を表示するモニタと、前記モニタを制御する制御部とを備えた薬剤手撒き装置であって、
各服用日の同じ服用時期の薬包が連続するように薬包シートを形成する連続モードと、１日分の薬包が服用時期の順に並ぶように薬包シートが形成される反復モードとのいずれかを選択させる選択手段をさらに備え、
前記作業支援画面は、前記トレイの前記複数のセルをセル配置に対応して模式的に表したセルイメージを表示するセルイメージ領域と、薬剤の外観画像を表示する薬剤画像領域とを含み、
前記制御部は、前記処方データに基づいて、前記セルイメージにおいて、前記連続モードが選択された場合は同一服用時期のセルが処方日数分連続して割り当てられるように、前記反復モードが選択された場合は１日分の服用時期が処方日数分繰り返して割り当てられるように、前記複数のセルのうち所定の薬剤を投入すべきセル内に、当該セルに投入すべき錠数を表示し、
前記制御部は、前記処方データに基づいて、前記トレイに投入すべき薬剤の外観画像を前記薬剤画像領域に表示する、薬剤手撒き装置。
【０１６９】
上記の付記２に係る発明によれば、作業支援画面において、トレイの複数のセルをセル配置に対応して模式的に表したセルイメージが、複数のセルのそれぞれに投入すべき薬剤の錠数と、その薬剤の外観画像を伴って表示される。さらに、選択手段を用いた選択に応じて、各服用日の同じ服用時期の薬包が連続するように薬包シートを形成する連続モードと、１日分の薬包が服用時期の順に並ぶように薬包シートが形成される反復モードとのそれぞれに対応して、複数のセルのそれぞれに対してどの薬剤を何錠投入すべきかが、作業支援画面に表示される。これにより、誤ったセルに薬剤を投入したり、投入すべき錠剤の数を誤ったりするという人為的ミスを、効果的に防止することができる。
【０１７０】
［付記３］
処方データに基づいて作業支援画面を表示するモニタと、薬剤の容器または包装から当該薬剤を識別するコードを取得するコード取得手段をさらに備え、
前記制御部は、前記コード取得手段によって薬剤の容器または包装からコードが取得されると、取得されたコードに基づいて、前記薬剤が前記処方データに含まれる薬剤のいずれかに合致するか否かを判定する照合処理を行い、
前記制御部は、前記処方データに含まれる薬剤のうち手撒きの対象とされる薬剤のすべてについて前記照合処理が完了していなければ、手撒き処理の後続処理を開始可能としない、薬剤手撒き装置。
【０１７１】
この付記３の構成において、
薬剤の容器または包装から当該薬剤を識別するコードを取得するコード取得手段をさらに備え、
前記制御部は、前記コード取得手段によって薬剤の容器または包装からコードが取得されると、取得されたコードに基づいて、前記薬剤が前記処方データに含まれる薬剤のいずれかに合致するか否かを判定する照合処理を行い、
前記制御部は、前記処方データに含まれる薬剤のうち手撒きの対象とされる薬剤のすべてについて、前記照合処理が完了するか、または、所定の手順にしたがって前記照合処理がスキップされたことが登録されていなければ、手撒き処理の後続処理を開始可能としない構成としても良い。
【０１７２】
上記各実施形態で説明した処理の一部または全部は、プログラムにより実現されるものであってもよい。この場合、各処理の一部または全部は、コンピュータにおいて、中央演算装置（ＣＰＵ）、マイクロプロセッサ、プロセッサ等により行われる。それぞれの処理を行うためのプログラムは、ハードディスク、ＲＯＭなどの記憶装置に格納されており、ＲＯＭにおいて、あるいはＲＡＭに読み出されて実行される。記憶装置（記憶媒体）は、一時的でない有形のものであり、例えば、テープ、ディスク、カード、半導体メモリ、プログラマブルな論理回路などを用いることができる。
【０１７３】
上記各実施形態で説明した各処理をハードウェアにより実現してもよいし、ソフトウェア（ＯＳ（オペレーティングシステム）、ミドルウェア、あるいは、所定のライブラリとともに実現される場合を含む。）により実現してもよい。さらに、ソフトウェアおよびハードウェアの混在処理により実現しても良い。なお、上記実施形態に係る表示装置の表示処理をハードウェアにより実現する場合、各処理を行うためのタイミング調整を行う必要があるのは言うまでもない。上記実施形態においては、説明便宜のため、実際のハードウェア設計で生じる各種信号のタイミング調整の詳細については省略している。
【符号の説明】
【０１７４】
１…処方制御ユニット
２…錠剤供給ユニット
３…散薬供給ユニット
４…手撒きユニット
５…分包ユニット
６…バーコードリーダ
１１…制御部
１２…記憶部
１３…モニタ
１４…入力装置
１５…通信ＩＦ
４１…セル
４２…ＬＥＤ
４３…ＬＥＤ制御部
４４…セル開閉制御部
１１０、２１０…初期画面
１１１…セルイメージ領域
１１２…薬剤リスト領域
１１３…薬剤画像領域
１１４…用量表示領域
１２０、１３０、２２０…選択薬剤対応画面
２１１…分包イメージ領域
【図１】
2018143769.tif 000003
【図２】
2018143769.tif 000004
【図３】
2018143769.tif 000005
【図４】
2018143769.tif 000006
【図５】
2018143769.tif 000007
【図６】
2018143769.tif 000008
【図７】
2018143769.tif 000009
【図８】
2018143769.tif 000010
【図９】
2018143769.tif 000011
【図１０】
2018143769.tif 000012
【図１１】
2018143769.tif 000013
【図１２】
2018143769.tif 000014
【図１３】
2018143769.tif 000015
【図１４】
2018143769.tif 000016
【図１５】
2018143769.tif 000017
【図１６】
2018143769.tif 000018
【図１７】
2018143769.tif 000019
【図１８】
2018143769.tif 000020
【図１９】
2018143769.tif 000021
【図２０】
2018143769.tif 000022
【図２１】
2018143769.tif 000023